(57)【要約】  照明ユニットを有する屋外照明ネットワーク（ＯＬＮ）のための照明管理システムであり、該システムは中央制御装置４０と、照明ユニット制御装置５０と、通信システム６０とを含む。中央制御装置４０は、構成要求を受信し、最適化目標／制約を受信し、上記構成要求に関連する複数の照明ユニット制御装置５０に接続された照明ユニットを識別し、照明要件、照度モデル及びコストモデルのうちの少なくとも１つが変化したかを判定し、照明要件、照度モデル及びコストモデルのうちの少なくとも１つが変化した場合に照明要件、照度モデル及びコストモデルを更新し、識別された照明ユニットの動作を最適化目標／制約、照明要件、照度モデル及びコストモデルの関数として最適化し、動作命令を照明ユニット制御装置５０に送信する。
2014517981.tif 000002
【特許請求の範囲】
【請求項１】
複数の照明ユニットを有する屋外照明ネットワーク（ＯＬＮ）のための照明管理システムであって、
中央制御装置と、
複数の照明ユニット制御装置と、
前記中央制御装置及び前記照明ユニット制御装置を動作的に接続する通信システムと、
を有し、前記中央制御装置は、
構成要求を受信し、
最適化目標／制約を受信し、
前記構成要求に関連する、前記複数の照明ユニット制御装置に動作的に接続された照明ユニットを識別し、
照明要件、照度モデル及びコストモデルのうちの少なくとも１つが変化したかを判定し、
前記照明要件、照度モデル及びコストモデルのうちの少なくとも１つが変化した場合に該照明要件、照度モデル及びコストモデルのうちの少なくとも１つを更新し、
前記識別された照明ユニットの動作を、前記最適化目標／制約、照明要件、照度モデル及びコストモデルの関数として最適化し、
前記識別された照明ユニットに前記最適化された動作に従って動作するよう指令するために、前記複数の照明ユニット制御装置に動作命令を送信する、
照明管理システム。
【請求項２】
前記中央制御装置が、更に、
第１の関心領域に関する動作測定値を受信し、
前記動作測定値が所望の成績範囲内であるかを判定し、
前記動作測定値が前記所望の成績範囲内でない場合に前記照度モデルを更新し、
前記コストモデルが変化したかを判定し、
前記コストモデルが変化した場合に該コストモデルを更新し、
前記識別された照明ユニットの動作を、前記最適化目標／制約、照明要件、照度モデル及びコストモデルの関数として最適化し、
前記識別された照明ユニットに前記最適化された動作に従って動作するよう指令するために、前記複数の照明ユニット制御装置の少なくとも１つに動作命令を送信する、
請求項１に記載のシステム。
【請求項３】
前記中央制御装置が、更に、
第２の関心領域に関する測定の必要性を識別し、
前記第２の関心領域に関する移動感知装置の利用可能性をチェックし、
前記移動感知装置の利用可能性を考慮して、探査が必要とされるかを判定し、
前記探査が必要とされる場合に、利用可能な移動感知装置を探査し、
前記利用可能な移動感知装置から動作測定値を収集する、
請求項２に記載のシステム。
【請求項４】
前記中央制御装置が、更に、
関心領域（ＡＯＩ）の識別情報、測定期間明細、レポートモード及び測定タイプを含む、前記測定の必要性のための測定ウインドウを構成し、
前記利用可能な移動感知装置から動作測定値を前記測定ウインドウに従って収集する、
請求項３に記載のシステム。
【請求項５】
前記中央制御装置が、更に、前記利用可能な移動感知装置の１つに固有に関連付けられた情報を非特定化する請求項３に記載のシステム。
【請求項６】
前記中央制御装置が、更に、
前記利用可能な移動感知装置に特定の測定を実行するよう指令し、
前記特定の測定の測定結果を受信し、
前記利用可能な移動感知装置が前記受信された測定結果により正しく校正されたかを判定する、
請求項３に記載のシステム。
【請求項７】
前記特定の測定が、選択された照明ユニットに関する特定の測定である請求項６に記載のシステム。
【請求項８】
前記中央制御装置が、更に、
前記利用可能な移動感知装置の１つのユーザに、該利用可能な移動感知装置の１つを既知の照明値を有する選択された位置に置くよう要求し、
前記利用可能な移動感知装置の１つにより少なくとも１つの照明測定を実行し、
前記利用可能な移動感知装置の１つを、前記少なくとも１つの照明測定に基づいて前記既知の照明値に対し校正する、
請求項３に記載のシステム。
【請求項９】
前記既知の照明値が基準光センサから取得される請求項８に記載のシステム。
【請求項１０】
前記基準光センサが特定の照明ユニットに関連付けられ、前記中央制御装置 が、更に、前記利用可能な移動感知装置の１つのユーザに該移動感知装置の１つを前記特定の照明ユニットに置くよう要求する請求項９に記載のシステム。
【請求項１１】
前記既知の照明値が、事前に校正された移動感知装置から取得される請求項８に記載のシステム。
【請求項１２】
前記第１の関心領域が前記第２の関心領域と同一である請求項３に記載のシステム。
【請求項１３】
前記第１の関心領域が前記第２の関心領域とは異なる請求項３に記載のシステム。
【請求項１４】
移動感知装置が、
前記中央制御装置からのコマンドに反応し、
測定ウインドウを構成し、
前記測定ウインドウに関して測定を実行し、
該測定を前記中央制御装置に報告する、
請求項２に記載のシステム。
【請求項１５】
前記移動感知装置が、前記中央制御装置からダウンロードされた ユーザソフトウェアを含む請求項１４に記載のシステム。
【請求項１６】
前記移動感知装置が、ユーザに該移動感知装置を前記中央制御装置に登録することを許可する請求項１４に記載のシステム。
【請求項１７】
前記移動感知装置が、ユーザにデフォルトの測定ウインドウを構成することを許可する請求項１４に記載のシステム。
【請求項１８】
前記中央制御装置が、更に、
移動感知装置を登録し、
ユーザに、前記登録された移動感知装置により測定を実行するよう要求し、
前記ユーザが前記登録された移動感知装置により前記測定を実行することに応答して、該ユーザに利益を提供する、
請求項２に記載のシステム。
【請求項１９】
前記動作測定値が実験的方法により決定される請求項２に記載のシステム。
【請求項２０】
前記中央制御装置が前記構成要求、最適化目標／制約、照明要件、照度モデル及びコストモデルを記憶する請求項１に記載のシステム。
【請求項２１】
前記構成要求が、ユーザ、管理者、電力供給者及び規制者からなる群から選択されるエージェントから受信される請求項１に記載のシステム。
【請求項２２】
前記コストモデルが、エージェントから受信されるコスト情報から計算される請求項１に記載のシステム。
【請求項２３】
前記中央制御装置が、更に、前記識別された照明ユニットの動作を検索可能な解データベースを検索することにより最適化する請求項１に記載のシステム。
【請求項２４】
前記中央制御装置が、更に、前記検索可能な解データベースにおいて解が見付からない場合にリアルタイム計算を実行する請求項２３に記載のシステム。
【請求項２５】
屋外照明ネットワーク（ＯＬＮ）の中央制御装置に動作的に接続されるユーザ制御装置であって、
プロセッサと、
前記プロセッサに動作的に接続されたメモリと、
前記中央制御装置と通信するために前記プロセッサに動作的に接続された通信モジュールと、
を有し、前記プロセッサが、
照明要件を発生し、
該照明要件を、前記通信モジュールを介して前記中央制御装置へ送信する、
ユーザ制御装置。
【請求項２６】
前記照明要件が、領域に対して、平均輝度、均一性及び色温度からなる群から選択される請求項２５に記載のユーザ制御装置。
【請求項２７】
前記照明要件が、交通量、天気、昼／夜の時間、環境条件、規則及びユーザ入力からなる群から選択される因子を含む請求項２５に記載のユーザ制御装置。
【請求項２８】
前記プロセッサに動作的に接続されたセンサを更に有する請求項２５に記載のユーザ制御装置。
【請求項２９】
前記センサが、照明需要分析器及び環境センサからなる群から選択される請求項２８に記載のユーザ制御装置。
【請求項３０】
前記プロセッサが、更に、
前記中央制御装置からのコマンドに反応し、
測定ウインドウを構成し、
該測定ウインドウに関して測定を実行し、
該測定を前記中央制御装置に報告する、
請求項２５に記載のユーザ制御装置。
【請求項３１】
屋外照明ネットワーク（ＯＬＮ）を最適化する中央制御装置であって、
プロセッサと、
該プロセッサに動作的に接続されたメモリと、
前記屋外照明ネットワークと通信するために前記プロセッサに動作的に接続された通信モジュールと、
を有し、前記プロセッサが、
構成要求を受信し、
最適化目標／制約を受信し、
前記構成要求に関連する照明ユニットを識別し、
照明要件、照度モデル及びコストモデルのうちの少なくとも１つが変化したかを判定し、
前記照明要件、照度モデル及びコストモデルのうちの少なくとも１つが変化した場合に該照明要件、照度モデル及びコストモデルのうちの少なくとも１つを更新し、
前記識別された照明ユニットの動作を、前記最適化目標／制約、照明要件、照度モデル及びコストモデルの関数として最適化し、
前記識別された照明ユニットに、前記最適化された動作に従って動作するよう指令する、
中央制御装置。
【請求項３２】
前記プロセッサが、更に、
第１の関心領域に関する動作測定値を受信し、
前記動作測定値が所望の成績範囲内であるかを判定し、
前記動作測定値が前記所望の成績範囲内でない場合に前記照度モデルを更新し、
前記コストモデルが変化したかを判定し、
前記コストモデルが変化した場合に該コストモデルを更新し、
前記識別された照明ユニットの動作を、前記最適化目標／制約、照明要件、照度モデル及びコストモデルの関数として最適化し、
前記識別された照明ユニットに、前記最適化された動作に従って動作するよう指令する、
請求項３１に記載の中央制御装置。
【請求項３３】
前記プロセッサが、更に、
第２の関心領域に関する測定の必要性を識別し、
前記第２の関心領域に関する移動感知装置の利用可能性をチェックし、
前記移動感知装置の利用可能性を考慮して、探査が必要とされるかを判定し、
前記探査が必要とされる場合に、利用可能な移動感知装置を探査し、
前記利用可能な移動感知装置から動作測定値を収集する、
請求項３２に記載の中央制御装置。
【請求項３４】
前記プロセッサが、更に、
関心領域（ＡＯＩ）の識別情報、測定期間明細、レポートモード及び測定タイプを含む、前記測定の必要性のための測定ウインドウを構成し、
前記利用可能な移動感知装置から動作測定値を前記測定ウインドウに従って収集する、
請求項３３に記載の中央制御装置。
【請求項３５】
前記プロセッサが、更に、前記利用可能な移動感知装置の１つに固有に関連付けられた情報を非特定化する請求項３３に記載の中央制御装置。
【請求項３６】
前記プロセッサが、更に、
前記利用可能な移動感知装置に特定の測定を実行するよう指令し、
前記特定の測定の測定結果を受信し、
前記利用可能な移動感知装置が前記受信された測定結果により正しく校正されたかを判定する、
請求項３３に記載の中央制御装置。
【請求項３７】
前記特定の測定が、選択された照明ユニットに関する特定の測定である請求項３６に記載の中央制御装置。
【請求項３８】
前記プロセッサが、更に、
前記利用可能な移動感知装置の１つのユーザに、該利用可能な移動感知装置の１つを既知の照明値を有する選択された位置に置くよう要求し、
前記利用可能な移動感知装置の１つにより少なくとも１つの照明測定を実行し、
前記利用可能な移動感知装置の１つを、前記少なくとも１つの照明測定に基づいて前記既知の照明値に対し校正する、
請求項３３に記載の中央制御装置。
【請求項３９】
前記既知の照明値が基準光センサから取得される請求項３８に記載の中央制御装置。
【請求項４０】
前記基準光センサが特定の照明ユニットに関連付けられ、前記プロセッサが、更に、前記利用可能な移動感知装置の１つのユーザに該移動感知装置の１つを前記特定の照明ユニットに置くよう要求する請求項３９ に記載の中央制御装置。
【請求項４１】
前記既知の照明値が、事前に校正された移動感知装置から取得される請求項３８に記載の中央制御装置。
【請求項４２】
前記第１の関心領域が前記第２の関心領域と同一である請求項３３に記載の中央制御装置。
【請求項４３】
前記第１の関心領域が前記第２の関心領域とは異なる請求項３３に記載の中央制御装置。
【請求項４４】
前記プロセッサが、更に、
移動感知装置を登録し、
ユーザに、前記登録された移動感知装置により測定を実行するよう要求し、
前記ユーザが前記登録された移動感知装置により前記測定を実行することに応答して、該ユーザに利益を提供する、
請求項３２に記載の中央制御装置。
【請求項４５】
前記動作測定値が実験的方法により決定される請求項３２に記載の中央制御装置。
【請求項４６】
前記メモリが前記構成要求、最適化目標／制約、照明要件、照度モデル及びコストモデルを記憶する請求項３１に記載の中央制御装置。
【請求項４７】
前記構成要求が、ユーザ、管理者、電力供給者及び規制者からなる群から選択されるエージェントから受信される請求項３１に記載の中央制御装置。
【請求項４８】
前記コストモデルが、エージェントから受信されるコスト情報から計算される請求項３１に記載の中央制御装置。
【請求項４９】
前記プロセッサが、更に、前記識別された照明ユニットの動作を検索可能な解データベースを検索することにより最適化する請求項３１に記載の中央制御装置。
【請求項５０】
前記プロセッサが、更に、前記検索可能な解データベースにおいて解が見付からない場合にリアルタイム計算を実行する請求項４９に記載の中央制御装置。
【請求項５１】
屋外照明ネットワーク（ＯＬＮ）の照明ユニット及び中央制御装置に動作的に接続される照明ユニット制御装置であって、
プロセッサと、
該プロセッサに動作的に接続されたメモリと、
前記中央制御装置と通信するために前記プロセッサに動作的に接続された通信モジュールと、
を有し、前記プロセッサが、
構成要求を発生し、
該構成要求を、前記通信モジュールを介して前記中央制御装置に送信し、
該中央制御装置から前記通信モジュールを介して前記照明ユニットの最適化された動作のための動作命令を受信し、
前記照明ユニットに、該動作命令に従って動作するよう指令する、
照明ユニット制御装置。
【請求項５２】
前記構成要求が初期照明ユニット特性を含む請求項５１に記載の照明ユニット制御装置。
【請求項５３】
前記初期照明ユニット特性が、照度モデル、位置、高さ、向き及び電灯装置タイプからなる群から選択される照明ユニット特性である請求項５２に記載の照明ユニット制御装置。
【請求項５４】
前記構成要求が、照明ユニット特性の変更を含む請求項５１に記載の照明ユニット制御装置。
【請求項５５】
前記照明ユニット特性の変更が、環境条件、調光曲線、点灯時間、再生可能なエネルギタイプ及び再生可能エネルギの利用可能性からなる群から選択される照明ユニット特性に関するものである請求項５４に記載の照明ユニット制御装置。
【請求項５６】
前記プロセッサに動作的に接続されたローカルセンサを更に有する請求項５１に記載の照明ユニット制御装置。
【請求項５７】
前記ローカルセンサが、周囲光センサ、気象センサ、交通量センサ、在居検出センサ及び物体認識センサからなる群から選択される請求項５６に記載の照明ユニット制御装置。
【発明の詳細な説明】
【技術分野】
【０００１】
［０００１］本開示の技術分野は、屋外照明ネットワーク（ＯＬＮ）、特にはＯＬＮ照明変更／最適化システムである。
【背景技術】
【０００２】
［０００２］デジタル照明技術、即ち発光ダイオード（ＬＥＤ）等の半導体光源に基づく照明は、伝統的な蛍光灯、ＨＩＤランプ及び白熱電球に対する発展性のある代替物を提供する。ＬＥＤの機能的利点及び利益は、高いエネルギ変換及び光学的効率、耐久性、低運転コスト並びに多くの他のものを含む。ＬＥＤ技術における最近の進歩は、多くの応用分野における種々の照明効果を可能にするような効率的で堅牢な全スペクトル照明源をもたらしている。これらの光源を実施化する照明器具の幾つかは、例えば赤、緑及び青等の異なるカラーを生成することが可能な１以上のＬＥＤ、並びに種々のカラー及び色変化照明効果を発生するために上記ＬＥＤの出力を独立に制御するコントローラを含む照明モジュールを特徴とし、これらは、例えば米国特許第6,016,038号及び同第6,211,626号等に記載されている（これら文献は参照により本明細書に組み込まれるものとする）。
【０００３】
［０００３］道路、街路、駐車設備、公園、景観地、歩道及び自転車通路のための照明等の屋外照明は、通常、単一の機関により管理される。例えば、ニューヨーク市の街路灯は、運輸局により管理されている。１つの当局による集中管理は、より良いセキュリティ、より良好な使用の協調及び少ない保守費用を可能にする。殆どの屋外照明は、現在のところ、独立に又は共通電源から給電される小さなグループで稼働している。しかしながら、インターネット及び無線通信システムの発展により、屋外照明をネットワーク化し、斯かる屋外照明の運転を集中型サーバにより管理しようという流れが存在する。
【０００４】
［０００４］ＬＥＤ等の新世代電灯は、調光レベル、カラー、方向（例えば、ＬＥＤパネルを傾斜させ又はＬＥＤ光ビームをデジタル的に形成することにより）及び／又は種々のエネルギ源（例えば、太陽光／風力電力）の取り入れを調整する能力を有する。また、新世代の光源は、顧客に対して一層多くの選択を提供するために照明器具及び固定具の設計を自由にさせる。言い換えると、屋外照明ネットワークは、益々、異種混成のものとなる。このことは、エネルギを節約し、光害を低減し、及びローカルな照明規則に準拠する際の付加的柔軟性を可能にする。残念ながら、現世代の屋外照明は、この柔軟性を活用することができる制御及び管理システムを採用していない。
【０００５】
［０００５］現在の照明システムは、柔軟性が無く、当該システム内の変更を許容するものではない。照明の設計は設置の前に行われる一方、照明の試運転は設置後に一度行われ、その後に、当該システムの寿命の残りに対して運用が設定される。各照明ユニットは個別に且つ手動で１つの特定の条件に合致するように調整される。準拠処理は、典型的には、照明の設計段階で実行され、配備後は僅かな測定がなされるのみである。
【０００６】
［０００６］条件が変化した場合（例えば、照明要件、照明ユニット特性、所与の領域をカバーする照明ユニットの数、又は例えば新しいビル、新しい表示器等により他の照明源が導入される等の周囲の照明環境が変化した場合）、当該照明システムの動作は、最早、最も効率的且つ最適なものではない。例えば、照明器具は特定の性能規格を満たすように製造されるが、所与の地域の実際の要求は当該照明器具が配置された後に変わり得る。照明器具は、当該照明器具の１０〜１５年の寿命にわたり自身の初期の配備構成のままであり得る。屋外照明ネットワークの場合、市中にわたり配備された例えば何万もの多数の照明ユニットが存在し得る。現在のところ、新しい性能及び稼働要件を満たすように照明システムの動作を再構成するための便利な方法は存在しない。更に、複数の照明ユニットは、最適の照明動作、最少のエネルギコスト、最少の運転コスト又は照明システム管理者が望み得る如何なる動作に対しても協調されることはない。
【０００７】
［０００７］他の課題は、ＯＬＮ照明動作のリアルタイムな、設置後の又は継続的な測定を得ることである。殆どの屋外照明システムにおける測定は、良くて、設置及び試運転の後に１回、典型的には照度計等の専用の測定装置を用いて専門家により実施される。適応型の屋外照明アプリケーションが提案されているが、これらは典型的には固定位置（例えば、照明器具自身内又は照明器具の近傍）に設置された専用の特化されたセンサを使用する。カメラ又は占有センサ等の一層進んだセンサに基づいた他の照明適応化構想も提案されている。しかしながら、これらのシステムも固定位置に設置された専用のセンサに依存しており、多くの場合、進んだセンサのコスト及び複雑さが、これらシステムの大規模配備及び市場の受け入れを制限している。更に他の問題は、固定センサの配置である。即ち、ランプを夕暮れにオンし、夜明けにオフすることができるように日光を検出するために使用されるセンサは、照明器具の上に設置されるので、ユーザにより地上のレベルで見られるような照明性能を測定するためには適していない。
【発明の概要】
【発明が解決しようとする課題】
【０００８】
［０００８］上述した欠点を克服するＯＬＮ照明変更／最適化システムを有することが望ましいであろう。
【課題を解決するための手段】
【０００９】
［０００９］本発明の一態様は、複数の照明ユニットを有する屋外照明ネットワーク（ＯＬＮ）のための照明管理システムを提供するものであり、該システムは、中央制御装置と、複数の照明ユニット制御装置と、上記中央制御装置及び照明ユニット制御装置を動作的に接続する通信システムとを含む。上記中央制御装置は、構成要求（configuration request）を受信し、最適化目標／制約を受信し、上記複数の照明ユニット制御装置に動作的に接続された上記構成要求に関連する照明ユニットを識別し、照明要件（lighting requirement）、照度モデル及びコストモデルのうちの少なくとも１つが変化したかを判定し、上記照明要件、照度モデル及びコストモデルのうちの少なくとも１つが変化した場合に該照明要件、照度モデル及びコストモデルのうちの少なくとも１つを更新し、上記識別された照明ユニットの動作を上記最適化目標／制約、照明要件、照度モデル及びコストモデルの関数として最適化し、上記識別された照明ユニットに上記最適化された動作に従って動作するように指令すべく前記複数の照明ユニット制御装置に動作命令を送信するよう動作する。
【００１０】
［００１０］本発明の他の態様は、屋外照明ネットワーク（ＯＬＮ）の中央制御装置に動作的に接続されたユーザ制御装置を提供するものであり、該ユーザ制御装置は、プロセッサと、該プロセッサに動作的に接続されたメモリと、上記中央制御装置と通信するために上記プロセッサに動作的に接続された通信モジュールとを含む。上記プロセッサは、照明要件を発生し、該照明要件を上記通信モジュールを介して上記中央制御装置へ送信するように動作する。
【００１１】
［００１１］本発明の他の態様は屋外照明ネットワーク（ＯＬＮ）を最適化する中央制御装置を提供するものであり、該装置は、プロセッサと、該プロセッサに動作的に接続されたメモリと、上記屋外照明ネットワークと通信するために上記プロセッサに動作的に接続された通信モジュールとを含む。上記プロセッサは、構成要求を受信し、最適化目標／制約を受信し、上記構成要求に関連する照明ユニットを識別し、照明要件、照度モデル及びコストモデルのうちの少なくとも１つが変化したかを判定し、上記照明要件、照度モデル及びコストモデルのうちの少なくとも１つが変化した場合に該照明要件、照度モデル及びコストモデルのうちの少なくとも１つを更新し、上記識別された照明ユニットの動作を上記最適化目標／制約、照明要件、照度モデル及びコストモデルの関数として最適化し、上記識別された照明ユニットに上記最適化された動作に従って動作するように指令するよう動作する。
【００１２】
［００１２］本発明の他の態様は、屋外照明ネットワーク（ＯＬＮ）の照明ユニット及び中央制御装置に動作的に接続される照明ユニット制御装置を提供するものであり、該照明ユニット制御装置は、プロセッサと、該プロセッサに動作的に接続されたメモリと、上記中央制御装置と通信するために上記プロセッサに動作的に接続された通信モジュールとを含む。上記プロセッサは、構成要求を発生し、該構成要求を上記通信モジュールを介して上記中央制御装置に送信し、該中央制御装置から上記通信モジュールを介して上記照明ユニットの最適化された動作のための動作命令を受信し、上記照明ユニットに該動作命令に従って動作するように指令するよう動作する。
【００１３】
［００１３］本発明の上述した及び他の特徴並びに利点は、添付図面に関連して精読される現在好ましい実施態様の後述する詳細な説明から更に明らかとなるであろう。尚、詳細な説明及び図面は、添付請求項及びその均等物により定義される本発明の範囲を限定するというよりは、本発明を単に解説するものである。
【００１４】
［００１４］本開示の目的のために本明細書で使用される場合、“ＬＥＤ”なる用語は、如何なる発光ダイオード又は電気信号に応答して放射を発生することが可能な他のタイプの電荷注入／接合型システムをも含むものと理解されるべきである。従って、ＬＥＤなる用語は、これらに限定されるものではないが、電流に応答して光を放出する種々の半導体型構造体、発光ポリマ、有機発光ダイオード（ＯＬＥＤ）、エレクトロルミネッセント・ストリップ等を含む。特に、ＬＥＤなる用語は、赤外スペクトル、紫外スペクトル及び可視スペクトルの種々の部分（通常、約４００ナノメートルから約７００ナノメートルまでの放射波長を含む）の１以上において放射を発生するように構成することができる全てのタイプの発光ダイオード（半導体及び有機発光ダイオードを含む）を指す。ＬＥＤの幾つかの例は、これらに限定されるものではないが、種々のタイプの赤外ＬＥＤ、紫外ＬＥＤ、赤色ＬＥＤ、青色ＬＥＤ、緑色ＬＥＤ、黄色ＬＥＤ、琥珀色ＬＥＤ、橙色ＬＥＤ及び白色ＬＥＤを含む（後に更に説明する）。また、ＬＥＤは所与のスペクトル（例えば、狭い帯域幅、広い帯域幅）に対して種々の帯域幅（例えば、半値全幅又はＦＷＨＭ）及び所与の一般色分類内で種々の優勢波長を持つ放射を発生するよう構成及び／又は制御することができると理解されるべきである。
【００１５】
［００１５］例えば、実質的に白色光を発生するように構成されたＬＥＤ（例えば、白色ＬＥＤ）の一構成例は、組み合わせで実質的に白色光を形成するように混ざり合うような、異なるスペクトルのエレクトロルミネッセンスを各々放出する複数のダイを含むことができる。他の構成例では、白色光ＬＥＤは、第１スペクトルを持つエレクトロルミネッセンスを別の第２のスペクトルに変換する蛍光体材料に関連され得る。この構成の一例において、相対的に短い波長及び狭い帯域幅のスペクトルを持つエレクトロルミネッセンスは上記蛍光体材料を“ポンピング”し、該蛍光体材料は幾らか広いスペクトルを持つ一層長い波長の放射を放出する。
【００１６】
［００１６］また、ＬＥＤなる用語はＬＥＤの物理的及び／又は電気的パッケージのタイプを限定するものではないと理解されるべきである。例えば、ＬＥＤは、前述したように異なるスペクトルの放射を各々放出するように構成された複数のダイ（例えば、個別に制御することが可能であるか又は可能でない）を有する単一の発光デバイスを指し得る。また、ＬＥＤは、当該ＬＥＤの一体部分と見なされる蛍光体と関連され得る（例えば、幾つかのタイプの白色ＬＥＤ）。一般的に、ＬＥＤなる用語は、パッケージ化ＬＥＤ、非パッケージ化ＬＥＤ、表面実装ＬＥＤ、チップオンボードＬＥＤ、Ｔパッケージ実装ＬＥＤ、ラジアルパッケージＬＥＤ、電力パッケージＬＥＤ、何らかのタイプのケース及び／又は光学素子（例えば、拡散レンズ）を含むＬＥＤ等を指すことができる。
【００１７】
［００１７］上述した概念及び後に詳述する追加の概念の全ての組み合わせ（斯かる概念が互いに矛楯しない限り）は、ここに開示する本発明の主題の一部であると意図されることに注意すべきである。特に、この開示の最後に現れる請求項に記載の主題の全ての組み合わせは、ここに開示される本発明の主題の一部であると意図される。また、参照により本明細書に組み込まれる何れかの文献にも現れる、ここで明示的に使用される用語は、ここに開示される特定の概念と最も一貫性のある意味が付与されるべきであると理解されるべきである。
【００１８】
［００１８］尚、図面において、同様の符号は概して異なる図を通して同様の部分を指している。また、図面は必ずしも実寸ではなく、代わりに、本発明の原理を図示する際に概して強調されている。
【図面の簡単な説明】
【００１９】
［００１９］
【図１】図１は、本発明による屋外照明ネットワークのためのＯＬＮ照明変更／最適化（ＬＣＯ）システムの例示的実施態様のブロック図である。  ［００２０］
【図２】図２は、本発明による屋外照明ネットワークに対する照明変更／最適化のための方法のフローチャートである。  ［００２１］
【図３】図３は、本発明による屋外照明ネットワークのためのユーザ制御装置の例示的実施態様のブロック図である。  ［００２２］
【図４】図４は、本発明による屋外照明ネットワークのための中央制御装置の例示的実施態様のブロック図である。  ［００２３］
【図５】図５は、本発明による屋外照明ネットワークのための照明ユニット制御装置の例示的実施態様のブロック図である。  ［００２４］
【図６】図６は、本発明による屋外照明ネットワークに対する照明変更／最適化のための方法の一例のルーメン対入力電力のグラフである。  ［００２５］
【図７】図７は、本発明による屋外照明ネットワークに対する照明変更／最適化のために照明測定を協調させる方法の基本フローチャートである。  ［００２６］
【図８】図８は、本発明による屋外照明ネットワークに対する照明変更／最適化のために照明測定を協調させる方法の詳細フローチャートである。  ［００２７］
【図９】図９は、本発明による屋外照明ネットワークに対する照明変更／最適化のために移動感知装置を用いる照明測定を協調させる方法のフローチャートである。
【発明を実施するための形態】
【００２０】
［００２８］図１は、本発明による屋外照明ネットワークのためのＯＬＮ照明変更／最適化（ＬＣＯ）システムの例示的実施態様のブロック図である。図１は該ＯＬＮ ＬＣＯシステムの概要を示すもので、該システムは屋外照明ネットワーク（ＯＬＮ）の変更及び最適化を可能にする。ユーザ制御装置、中央制御装置及び照明ユニット制御装置を含む全体のＯＬＮ ＬＣＯシステムの特定の装置に関する詳細は、図３、４及び５に各々示される。
【００２１】
［００２９］図１を参照すると、本例におけるＯＬＮ ＬＣＯシステム９０は、オプションとしての複数のユーザ制御装置３０と、中央制御装置４０と、複数の照明ユニット制御装置５０と、上記オプションとしてのユーザ制御装置３０、中央制御装置４０及び照明ユニット制御装置５０の間に動作的に接続された通信システム６０とを含んでいる。該ＯＬＮ ＬＣＯシステム９０は照明ユニット８２も含むことができ、これら照明ユニット８２の各々は上記照明ユニット制御装置５０の１つに関連付けられる。該ＯＬＮ ＬＣＯシステム９０の照明ユニット８２は、公園、道路等の複数の関心地点（points of interest）８４を照明する。各関心地点８４には、照明ユニット８２の１つ若しくは複数を関連付けることができ、又は何の照明ユニットも関連付けられない場合もある。測定装置８６は、関心地点８４において照明ユニット８２の動作を監視することができる。測定装置８６は、通信システム６０を介して中央制御装置４０と通信することができる。測定装置８６は、照明ユニット８２に対して移動可能であるか又は固定され得る。一実施態様において、測定装置８６は、携帯電話、個人用携帯装置（時計、活動モニタ、ラップトップコンピュータ等）の携帯装置とすることができる。斯かる携帯装置は、ユーザ２０のうちの一人に関連付けられ得る。他の実施態様において、測定装置８６は照明ユニット制御装置５０又は照明ユニット８２に関連付けられた固定された装置であり得る。更に他の実施態様において、測定装置８６は、車両内の感知装置又はユーザ制御装置等のオプションとしてのユーザ制御装置３０に関連付けられた携帯装置とすることもできる。
【００２２】
［００３０］ＯＬＮ ＬＣＯシステム９０は、１以上のエージェント７４が当該ＯＬＮ ＬＣＯシステム９０に入力を供給することを可能にするために中央制御装置４０と通信する１以上の遠隔管理（テレマネージメント）局７２を含むこともできる。エージェント７４は、ユーザ、管理者（administrator）、電力供給者又は規制者（regulator）等の、当該ＯＬＮ ＬＣＯシステム９０に入力を供給する如何なる当事者でもあり得る。テレマネージメント局７２は、中央制御装置４０に接続されることにより該中央制御装置４０と直接通信することができるか、又は通信システム６０を介して中央制御装置４０に接続することができる。ユーザ２０も、オプションとしてのユーザ制御装置３０を介して中央制御装置４０と通信することができる。
【００２３】
［００３１］ＯＬＮ ＬＣＯシステム９０は、自動的に、照明ネットワークの変更（例えば、照明特性、照明要件、エネルギコスト／利用可能性等の変更）を管理すると共に、斯かる変更に対して照明ネットワークの動作を（再）最適化する。照明ユニット８２が一旦設置されると、各照明ユニット８２は前記中央制御装置に自身の設定、動作特性及び能力を登録し、自身の動作特性の更新を通信システム６０を介して中央制御装置４０に規則的に又は要求に応じて（例えば、特性が変化した際に）送信する。通信システム６０は、例えばＯＬＮ、ＷｉＦｉ、イーサネット（登録商標）、電力線ネットワーク、携帯電話ネットワーク又はＺｉｇｂｅｅ（登録商標）等の利用可能な如何なる通信方法又はプロトコルを使用することもできる。中央制御装置４０は、上記照明特性及び能力を用いて、当該ＯＬＮ ＬＣＯシステム９０に関する照度モデル及びコストモデルを計算することができる。
【００２４】
［００３２］図２は、本発明による屋外照明ネットワークに対する照明変更／最適化のための方法のフローチャートである。図２は、中央制御装置の視点からの当該方法の概要を示す。
【００２５】
［００３３］該方法１００は、構成要求（configuration request）を受信するステップ１０２と、最適化目標／制約を受信するステップ１０３と、上記構成要求に関連する照明ユニットを識別するステップ１０４と、照明要件（１０６）、照度モデル（１１０）及びコストモデル（１１４）の少なくとも１つが変化したかを判定するステップと、上記照明要件、照度モデル及びコストモデルの少なくとも１つが変化した場合に照明要件（１０８）、照度モデル（１１２）及びコストモデル（１１６）の少なくとも１つを更新するステップと、上記の識別された照明ユニットの動作を上記最適化目標／制約、照明要件、照度モデル及びコストモデルの関数として最適化するステップ１２０と、上記識別された照明ユニットに上記の最適化された動作に従って動作するよう指令するステップ１２２とを含む。該方法１００は、オプションとして、前記識別された照明ユニットに関する動作測定値を受信するステップ１２４と、これら動作測定値が所望の成績範囲（performance range）内であるかを判定するステップ１２６と、上記動作測定値が上記所望の成績範囲内でない場合に前記照度モデルを更新するステップ１１２と、前記コストモデルが変化したかを判定するステップ１１４と、該コストモデルが変化した場合に該コストモデルを更新するステップ１１６と、前記の識別された照明ユニットの動作を前記最適化目標／制約、照明要件、照度モデル及びコストモデルの関数として最適化するステップ１２０と、上記識別された照明ユニットに上記の最適化された動作に従って動作するよう指令するステップ１２２とを含むことができる。該方法１００は、上記動作測定値が上記所望の成績範囲内である場合に終了（１２８）することができる。
【００２６】
［００３４］前記構成要求を受信するステップ１０２は、照明ユニットの特性、関心領域に対する照明要件、用役費（例えば需要反応信号又は動的価格設定の変更）、所与の領域／区域に対するエネルギ予算又は環境条件に対する変更等のＯＬＮ変更を受信及び分類するステップを含むことができる。構成要求を受信するステップ１０２は、ＯＬＮ変更を示すフラグ又はデータの受信によるもの、又はＯＬＮ変更を示すイベントの検出によるものであり得る。一実施態様において、上記構成要求は、当該ＯＬＮシステムの初期構成を確立する初期構成要求である。一実施態様において、上記初期構成は、照明ユニットの位置、高さ及び向きを考慮して光分布の理論的／経験的モデルから導出される。
【００２７】
［００３５］前記最適化目標／制約を受信するステップ１０３は、どの様に最適化が実行されるべきか（例えば、総エネルギコストを最小化する、領域にわたる照明均一性を最大にする、又は特定のタイプの利用可能なエネルギ源を好む（優先する）等）を決定する最適化目標／制約を受信することを含むことができる。
【００２８】
［００３６］前記構成要求に関連する照明ユニットを識別するステップ１０４は、当該ＯＬＮ変更により影響を受ける関連の照明ユニットを識別することを含むことができる。一実施態様において、上記関連の照明ユニットは、各照明ユニットの位置及び照明範囲（coverage）から識別される。一実施態様において、関心地点から遠く離れ過ぎた（例えば、関心地点からの所与の半径の外側の）照明ユニットは、最適化計算を高速化するために無関係として無視することができる。
【００２９】
［００３７］前記照明要件（１０６）、照度モデル（１１２）及びコストモデル（１１４）の少なくとも１つが変化したかを判定するステップは、ＯＬＮ動作に影響するパラメータが変化した時点を見付ける。変更は、ユーザ、規制団体、管理者、電力供給者又は環境センサ等のエージェントから到来し得る。前記照明要件、照度モデル及びコストモデルの少なくとも１つが変化した場合に照明要件（１０８）、照度モデル（１１２）及びコストモデル（１１６）の少なくとも１つを更新するステップは、識別された照明ユニットの動作を最適化するために斯かる照明要件、照度モデル及びコストモデルを整える。一例において、変更は、システム構成に使用される新しいパラメータを古いパラメータと比較し、その差が特定の閾値を越えるかをチェックすることにより検出することができる。他の例において、変更は、ユーザ、規制団体、管理者、操作者又は現場の装置（例えば、現場のセンサ）等のエージェントから受信されるメッセージ／信号により検出することができる。
【００３０】
［００３８］前記照明要件は、街路、公園又は他の何らかのタイプの関心領域等の関心領域上の輝度（intensity）、均一性及び色温度等の照明パラメータを含むことができる。斯かる照明要件は、ユーザの好み及び規制要件等に基づいて選択することができる。照明要件に対する変更は、ユーザの好み、規制要件及び／又は環境条件（例えば、交通量、天気、昼又は夜の時間等）の変化であり得る。一実施態様において、或る領域における照明要件は、平均輝度（照度）、均一性及び色温度の組み合わせにより表される。照度及び均一性の尺度（metric）は、照明されるグリッド点のパーセント（ＧＰＩ）、平均照度、変動係数（ＣＶ）、均一性の平均対最少（average-to-min）比（ＡＭＵ）、及び均一性の最大対最小（max-to-min）比（ＭＭＵ）を含む。当該領域に対する照明要件は、関心地点（ＰＯＩ）のベクトル、例えばL=［…,lj,…］Tにより特徴付けられ得るもので、ここで、ljは関心地点(POI)jにおける光レベル（例えば、光の輝度及び／又は色）である。ベクトルの特徴の例は、平均、共分散、最大／最少及び平均／最少を含む。前記照明要件の少なくとも１つを更新するステップ１０８は、構成要求が初期構成である場合に照明要件ベクトルを初期化すること、及び照明要件が変化した場合に照明要件ベクトルを再特徴付けすることを含む。
【００３１】
［００３９］前記照度モデルは、照明ユニットの出力を、関心地点における総照明成績に関係付ける。
【数１】
2014517981.tif 000003
が照度モデルとして定義される。関連する光出力の一次結合による各ＰＯＩに関する総光レベルljは、
【数２】
2014517981.tif 000004
により示され、ここで、ljはPOIjにおける総光レベルであり、ｄiは照明ユニットｉの光出力（光の輝度及び／又は色）であり、αijは照明ユニットｉからPOIjへの寄与係数であり、ａjはPOIjにおける周囲光レベルである。
【００３２】
［００４０］一実施態様において、照度モデルは、該照度モデルが関連する照明ユニットに関する当該関心領域の地形を考慮するように、当該照明ユニットの照度の位置／高さ／向き／形状に従った実空間での照明ユニットの理論的／経験的照度モデルの登録により特徴付けられる。照明ユニットの該モデルは、照明学会（ＩＥＳ）のファイルにより特徴付けられ得る。例えば、実空間での理論的／経験的照度モデルの登録は、急な斜面上での照明ユニットの性能対平らな道路上での照明ユニットの性能の差を考慮することができる。一実施態様において、３Ｄの都市眺望／計画ツール（例えば、グーグル・アース又はビング・マップ）は、上記理論的／経験的照度モデル及び照明ユニットの位置／高さ／向き／形状の情報と組み合わされて、当該関心領域（例えば、市街路／広場／名所）のための実３Ｄ光照度モデルを確立する。一例において、登録は、最初にグーグル・アースから関心領域の３Ｄ航空写真（地形図を含む）を、ＤＷＧ／ＤＸＦファイルを介してダイアルクス（Dialux）等の照度計算ツールにインポートすることにより実行することができる。当該照明ユニット（これら照明ユニットの測光法はＩＥＳファイルにより特徴付けられる）が上記照度計算ツールに挿入され、幾何学的協調関係に従って登録される。照明ユニットの上記測光法は、該照明ユニットが自身の光を空間に分配する方法を記述する。照明ユニットが挿入され、登録されたら、当該関心領域において各照明ユニットにより生成される照度及び輝度を計算することができる。
［００４１］前記コストモデルは、当該照明ユニットの総コスト（例えば、エネルギ及び／又は運転費用）を決定する。総コストは、
【数３】
2014517981.tif 000005
であり、ここで、コスト関数ξiは照明ユニットｉの光出力の関数としてのコストであり、光出力関数ｄiは照明ユニットｉに対する入力電力ｐiの関数としての光出力である。関数ｄiは、調光曲線としても知られている。一実施態様において、コスト関数ξiは、グリッド電力のエネルギコスト、再生可能な／分散されたエネルギ源のエネルギコスト、運転コストを含む生涯コストから変換された運転コスト等を含むことができる。
【００３３】
［００４２］識別された照明ユニットの動作を前記最適化目標／制約、照明要件、照度モデル及びコストモデルの関数として最適化するステップ１２０は、当該照明ネットワークの動作を最適化するための光出力の組み合わせを見付ける。例えば、最適化は、照明要件を満たすことにより全体のコストを最少にする、又は与えられたエネルギコスト制約に対して照明性能を最適にすることができる。一実施態様において、前記最適化するステップは、類似の解を見付けるためにデータベースを検索する。他の実施態様において、最適化するステップは、解を見付けるためにリアルタイムな計算を実行する。コスト関数ξi及び光出力関数ｄiが共に線形である場合、最適化するステップは線形最適化問題を解くことができる。コスト関数ξi及び光出力関数ｄiが共に凹である場合、最適化するステップは凹／凸最適化問題を解くことができる。当業者であれば、異なる解決方法を特定の用途に対し所望に応じて使用することができることを理解するであろう。
【００３４】
［００４３］一実施態様において、最適化するステップは、解を見付けるために検索可能な解データベースをリアルタイム計算と組み合わせる。このような組み合わせは、同様の最適な解となる同様の環境（settings）及び条件が時折生じ得る（例えば、時間／交通量／天気に応じて調光する）という事実を利用して、解決を高速化することができる。上記の検索可能な解データベースは、所与の照度モデル及びコストモデルに対して確立される。イベント又は変更が生じた（例えば、天候が曇りから雨に変化した、時間が深夜に到る、交通量が変化した、又は他のイベントが生じた）場合、照明マネージャは当該イベントに対応する照明要件を自動的に識別すると共に、上記検索可能な解データベースを検索し、同様の／合致する照明要件を検索することにより関連する照明ユニットに対する最適な光出力（又は入力電力）を見付ける。
【００３５】
［００４４］検索可能な解データベースとしての検索可能な解テーブルを用いたデータベース／リアルタイム計算方法により最適化するステップは、検索可能な解テーブルに、記憶された照明要件L=［…,lj,…］Tを加入するステップと（各照明要件Ｌは当該記憶された照明要件Ｌに対して関連する記憶された最適入力電力P=［…,pi,…］を有する）、現在の照明要件を決定するステップと、上記解テーブルが現在の照明要件に合致するための記憶された照明要件を含んでいるかを判定するステップと、記憶された照明要件が現在の照明要件に合致する場合に該合致する記憶された照明要件に対する関連する記憶された最適入力電力を使用するステップと、記憶された照明要件が現在の照明要件に合致しない場合にリアルタイム計算を実行して該現在の照明要件に対する現在の最適入力電力を決定するステップとを含む。一実施態様において、記憶された照明要件と現在の照明要件との合致は、新しい照明要件L’と古い照明要件L’との間の差のノルムから決定することができる。該ノルムの値が所望の閾値より小さい場合、記憶された照明要件と現在の照明要件とは合致と呼ぶことができる。検索可能な解テーブルは、新たな環境又は条件が生じた場合に更新することができる。上記データベース／リアルタイム計算方法は、現在の最適入力電力が決定された後に、上記検索可能な解テーブルに現在の照明要件を該現在の最適入力電力に関連させて記憶するステップを含むこともできる。照度モデル又はコストモデルにおける変更は、新たな計算及び上記検索可能な解テーブルの再加入を必要とし得ることに注意されたい。
【００３６】
［００４５］識別された照明ユニットに最適化された動作に従って動作するよう指令するステップ１２２は、該識別された照明ユニットの光出力を調整させる。前記中央制御装置は該識別された照明ユニットに対して動作命令信号を送信することができる。照明ユニットの調整の例は、入力電力を調光曲線に従って調整すること、照明ユニットの色スペクトル（動作周波数）を調整すること、又は光の方向若しくは光の分布パターンを調整すること（例えば、ＬＥＤパネルを傾斜させる）等を含む。
【００３７】
［００４６］望ましいなら、方法１００はオプションとして動作結果の測定及び照明ユニット動作の再調整を含むことができる。このような方法は、識別された照明ユニットに関する動作測定値を受信するステップ１２４と、該動作測定値が所望の成績範囲内であるかを判定するステップ１２６と、該動作測定値が所望の成績範囲内にない場合に照度モデルを更新するステップ１１２とを含むことができる。この場合、該方法１００は、前述したように、コストモデルが変化したかを判定し（１１４）、コストモデルが変化した場合に該コストモデルを更新し（１１６）、識別された照明ユニットの動作を最適化目標／制約、照明要件、照度モデル及びコストモデルの関数として最適化し（１２０）、該識別された照明ユニットに該最適化された動作に従って動作するよう指令する（１２２）ことにより継続することができる。
【００３８】
［００４７］一実施態様において、識別された照明ユニットに関する動作測定は、照度モデル値を確立し、補正し及び／又は更新するための実験的方法の一部であり得る。ここで定義される実験方法は、識別された照明ユニットの照度モデルにおける不正確な値を識別するステップと、該識別された照明ユニットの少なくとも１つに関する光出力を変更するステップと、関心地点における照明成績を上記の変更された光出力の関数として測定するステップと、測定された照明成績及び変更された光出力から当該照度モデルにおける置換値を決定するステップと、該置換値を当該照度モデルに記憶するステップとを含む。該実験的方法は、照度モデルＡにおける寄与係数αijを修正する。例えば、ＰＯＩｊにおける照明成績の第１の測定が光源ｉの第１のレベルの光出力においてなされ、ＰＯＩｊにおける照明成績の第２の測定が光源ｉの第２のレベルの光出力においてなされ、寄与係数αijは、第１の測定と第２の測定との間において光源ｉの光出力の差に対してＰＯＩｊにおける照明成績の差を比較することにより導出される。該実験的方法は複数の寄与係数αijに関して所望に応じて繰り返すことができる。
【００３９】
［００４８］他の実施態様において、識別された照明ユニットの動作を最適化するステップ１２０は、点灯時間（burning hours）及び／又は履歴的調光レベル等の、当該識別された照明ユニットの動作履歴を考慮する。上記点灯時間は、調光レベルとは無関係に、当該照明ユニットがオン状態である時間である。各識別された照明ユニットに関する動作履歴は、所望の動作目標を達成するために選択される照明要件、照度モデル及び／又はコストモデル並びに最適化目標／制約に因数として含めることができる。例えば、最適化目標／制約は、識別された照明ユニットが、該照明ユニットの点灯時間及び／又は出力を意図的に調整することにより同一の残り寿命を有するように選択することができる。このようにして、グループ交換又はランプ交換等の照明ユニットの保守を、識別された全照明ユニットに対して一度に実行し、保守費用を低減することができる。
【００４０】
［００４９］屋外照明ネットワークに対する照明変更／最適化のための方法の一例において、或る領域に対する照明要件が変更され、前記中央制御装置は斯様な変更を受信する。該中央制御装置は図２に示した処理を経て進む。前記最適化目標／制約は、変更された照明要件を満たしながら、全体のエネルギ（ジュール）又はコスト（＄）を最小化するためのものである。中央制御装置は、照明要件をL*={…,lj,…}とし、同様に、照明ユニットの入力電力をP={…,pi,…}とする。中央制御装置は、Ｐなる総電力を最小化すべく、新たな照明要件L*を満たす最適なＰ（P*により示す）を見付ける必要がある。中央制御装置は、同様の／合致する照明要件L*を見付けることにより、前記検索可能な解データベースを検索して関連する照明ユニットの最適な光出力（又は入力電力）の組み合わせを求める。合致が見付からない場合、中央制御装置はリアルタイム計算を行う。反復方法に従って、照明ユニットは一定のλ（ステップサイズ）により電力Piを変更して１つずつ試験され（仮想的に）、前記新たな照明要件に最も近づいたものが、この反復において一定のλにより電力を更新すべく選択される一方、他の照明ユニットは電力を変更しない。最適への近さは、平均二乗尺度e={L*-Lp}2により定義することができ、ここで、Lpは、この反復における更新されたPによる予測照明成績である。この処理はｅが十分に小さく（又はゼロに）なるまで継続する。λの大きさは、反復毎に変化し得る。当該アルゴリズムはP=0で初期化され得る。このアルゴリズムは、ベクトルPを対応するベクトルC={…,cj,…}により置換することにより、コストＣ（ジュールの代わりに＄）を最小化すべく容易に拡張することもできる。
【００４１】
［００５０］屋外照明ネットワークに対する照明変更／最適化のための方法の他の例において、共益（電力）会社は、特定のエネルギ需要を前提として電力価格（＄/kWh）を変更するか、又は特定の時間において領域内の照明に対するエネルギ供給の限界を変更する。中央制御装置は、電力会社又は需要応答エージェントからの需要応答信号を受信する。変更された電力価格又は照明のためのエネルギ供給の限界に基づいて、中央制御装置は、当該領域における照明成績を最適化しながら、全エネルギ消費／コストを最適化目標／制約（例えば、緊急状況における電力供給により又は市の予算により制約される）としての限界以下に維持するために照明ユニットの電力消費を調整する。簡単な例の場合、２つの照明ユニットは１つの領域を一緒に照明すると共に、恐らくは当該領域に対して同じ照明分布（照度モデル）及び図６に示されるような調光曲線を有する。当該屋外照明ネットワークにより制御される斯かる２つの照明ユニットに対する入力電力が２００Ｗから１００Ｗに低下した場合、最適な選択は、これら２つの照明ユニット間で１００Ｗを等しく分割する（即ち、各照明ユニットを５０Ｗで動作させる）代わりに、一方の照明ユニットをオフし、他方の照明ユニットに１００Ｗ全部をとらせることであろう。結果として、全光出力は、５０Ｗで動作する２つの照明ユニットからの７０００ルーメンの代わりに、１００Ｗで動作する単一の照明ユニットからの８０００ルーメンとなるであろう。
【００４２】
［００５１］図３は、本発明による屋外照明ネットワークのためのユーザ制御装置の例示的実施態様のブロック図である。図１に示されたように、ユーザ制御装置は、ユーザにアクセス可能であると共に、照明要件を中央制御装置に供給することにより該中央制御装置を介して当該屋外照明ネットワークを制御するために使用することができる。ユーザは当該屋外照明ネットワークを、該ユーザが許可された範囲で制御することができる。ユーザ制御装置は、専用の装置として実施化するか、又は他の装置に組み込むことができる。ユーザ制御装置は、携帯電話、ＰＤＡ、コンピュータ（例えば、ラップトップ、iPadのようなタブレット）、自動車、飛行機、ヘリコプタ若しくはボート等を含む乗物、乗物内の装置、移動ＧＰＳ装置、内蔵装置、何らかの知的装置／マシン、又はユーザにアクセス可能な何らかの他の装置において実施化することができる。ユーザ制御装置は、自身がユーザである装置（例えば、特定の状況に従って異なる光レベルを必要とするセキュリティカメラ）に組み込むこともできる。一例において、ユーザ制御装置は、自立装置として独立に動作することができ、人の相互作用無しでユーザに一時的ユーザポリシーを自立的に発生することができる。
【００４３】
［００５２］ユーザ制御装置２００は、人又は知的装置等のユーザ２０２が屋外照明ネットワーク２０４の特定のフィーチャを制御することを可能にする。ユーザ制御装置２００は、ユーザが如何なる所与の位置及び時間においてもユーザ指向照明制御サービスの利用可能性を発見（又は検出）することも可能にする。ユーザ制御装置２００は、ユーザ入力を受信すると共に照明要件を生成する如何なるタイプの装置とすることもできる。照明要件の例は、交通量、天気、昼／夜の時間、環境条件、規制又はユーザ入力等の要因に従う、領域（例えば、街路又は公園）における照明ユニットの平均光強度、均一性及び／又は色温度等を含む。
【００４４】
［００５３］ユーザ２０２が知的装置である場合、ユーザ制御装置２００は照明要件を自動的に発生することができる。一実施態様において、上記知的装置は、ユーザ制御装置２００からは独立に動作する（例えば、天気又は道路状況を受信／検出する）トランスポンダ等の外部刺激に応答して、照明要件を生起する。これの他の例は、車両の外部のローカルセンサに警報する車両内通信装置であり、該ローカルセンサはユーザ制御装置２００の知的装置に外部刺激を供給し、該ユーザ制御装置は照明要件を自動的に発生して、例えば車両が接近した場合に、暗くされた照明ユニットをオンする。他の実施態様において、ユーザ制御装置２００は、ＯＬＮから受信される情報をユーザ位置情報と組み合わせることにより、所与のユーザに対してユーザ照明制御サービスが何時、何処で利用可能であるかを検出する手段を含むことができる。上記サービスの利用可能性が検出されたら、ユーザ制御装置２００はユーザに対して斯かる利用可能性を示すと共に、ユーザ入力インターフェースを可能にすることができる。
【００４５】
［００５４］ユーザ制御装置２００は、プロセッサ２１０と、該プロセッサ２１０に動作的に接続されたメモリ２２０と、ユーザ２０２と屋外照明ネットワーク２０４との間の通信のために上記プロセッサ２１０に動作的に接続された通信モジュール２３０とを含む。プロセッサ２１０は、照明要件を発生し、該照明要件を通信モジュール２３０を介して当該屋外照明ネットワークの中央制御装置に送信するように動作する。
【００４６】
［００５５］通信モジュール２３０は、屋外照明ネットワーク２０４と通信することが可能な、ジグビ（Ｚｉｇｂｅｅ（登録商標））チップ、アプリケーションレイヤを備える無線チップ、又は特定用途向け集積回路（ＡＳＩＣ）等の如何なるタイプのデバイスとすることもできる。通信モジュール２３０は、セルラデータ通信プロトコル（例えば、ＧＳＭ（登録商標）、ＣＤＭＡ、ＧＰＲＳ、ＥＤＧＥ、３Ｇ、ＬＴＥ、ＷｉＭＡＸ等）、IEEE 802.15.4無線規格上で動作するジグビプロトコル、IEEE規格802.11（802.11b/g/n等）下のＷｉＦｉプロトコル、ブルートゥースプロトコル又はブルートゥース低エネルギプロトコル等の如何なる所望の技術を用いて通信することもできる。一例において、通信モジュール２３０は通信システムを介して屋外照明ネットワーク２０４と通信する。
【００４７】
［００５６］ユーザ制御装置２００は、ユーザがユーザ認証データ、関心領域、照度要件及び／又は動作計画等のデータを手動で入力するのを可能にするために通信モジュール２３０に動作的に接続された、キーボード又はタッチスクリーン等の入力装置２４０を含むことができる。ユーザ２０２は、特定のアプリケーションのために所望に応じて個別にデータを入力することができるか、又は複数の事前に設定された要求からユーザ２０２により選択することが可能な事前に設定された要求としてデータを入力することができる。
【００４８】
［００５７］ユーザ制御装置２００は、プロセッサ２１０に動作的に接続された１以上のセンサを含むことができる。一実施態様において、上記センサは、ユーザ２０２のＧＰＳ座標等の現在位置をプロセッサ２１０に供給する全地球測位システム（ＧＰＳ）受信器等の位置情報（geolocation）モジュール２５０であり得る。一実施態様において、ユーザ制御装置２００は、ユーザ入力、外部入力、追加のセンサ、追加のプロセッサ又はこれらの組み合わせ等から関心領域、照度要件及び／又は動作計画を決定するためにプロセッサ２１０に動作的に接続された照明需要分析器２６０を含む。また、ユーザ制御装置２００は、光レベル、天気、曇り、降水量又は交通量等を含む環境条件を検出するための環境センサ等のセンサ２７０も含むことができる。センサ２７０からの情報は、照明要件を策定するために、照明ユニットからの出力を測定するために、又は特定の目的のために所望に応じて他のアプリケーションにおいて使用することができる。
【００４９】
［００５８］プロセッサ２１０は、命令の作成、命令の実行及び／又は命令に従うデータの処理のうちの少なくとも１以上を実行することが可能な如何なるタイプの装置とすることもできる。一例において、当該プロセッサはパーソナルコンピュータ又はサーバ等のコンピュータである。メモリ２２０は、データ、プログラム及び／又は命令を記憶することができる如何なるタイプのメモリでもあり得る。例示的なメモリは、ランダムアクセスメモリ（ＲＡＭ）、読取専用メモリ（ＲＯＭ）、フラッシュメモリ、磁気コンピュータ記憶装置（例えば、ハードディスク、フロッピー（登録商標）ディスク及び磁気テープ）、及び光ディスク等を含む。メモリ２２０は長期間及び／又は短期間記憶に使用することができる。
【００５０】
［００５９］図４は、本発明による屋外照明ネットワーク４０４及びエージェント４０２に動作的に接続された中央制御装置４００の例示的実施態様のブロック図である。該中央制御装置は、プロセッサ、マイクロプロセッサ、サーバ、コンピュータ、又はユーザ及び屋外照明ネットワークにアクセスする如何なる他の知的装置においても実施化することができる。該中央制御装置は、中心位置に配置することができるか、又は複数の位置に分散させることができる。
【００５１】
［００６０］中央制御装置４００は、運用者が屋外照明ネットワーク（ＯＬＮ）を変更及び最適化することを可能にする。中央制御装置４００は、プロセッサ４１０と、該プロセッサ４１０に動作的に接続されたメモリ４２０と、エージェント４０２及び屋外照明ネットワーク４０４と通信するためにプロセッサ４１０に動作的に接続された通信モジュール４３０とを含んでいる。プロセッサ４１０は、構成要求を受信し、最適化目標／制約を受信し、上記構成要求に関連する照明ユニットを識別し、照明要件、照度モデル及びコストモデルの少なくとも１つが変化したかを判定し、照明要件、照度モデル及びコストモデルの少なくとも１つが変化した場合に、これら照明要件、照度モデル及びコストモデルの少なくとも１つを更新し、上記の識別された照明ユニットの動作を上記最適化目標／制約、照明要件、照度モデル及びコストモデルの関数として最適化し、上記識別された照明ユニットに上記の最適化された動作に従って動作するように指令するよう動作する。一実施態様において、プロセッサ４１０は、更に、関心領域に関する動作測定値を協調させ及び受信し、該動作測定値が所望の成績範囲内であるかを判定し、該動作測定値が所望の成績範囲内でない場合に前記照度モデルを更新し、コストモデルが変化したかを判定し、コストモデルが変化した場合に該コストモデルを更新し、前記識別された照明ユニットの動作を前記最適化目標／制約、照明要件、照度モデル及びコストモデルの関数として最適化し、前記識別された照明ユニットに上記の最適化された動作に従って動作するように指令するよう動作する。
【００５２】
［００６１］メモリ４２０は、当該屋外照明ネットワークの変更及び最適化を管理するためのデータ及びコマンドを記憶する。メモリ４２０は、構成要求、最適化目標／制約、照明要件、照度モデル及びコストモデル等を記憶することができる。上記構成要求は、ユーザ、管理者、電力供給者又は規制者等のエージェントから受信され得る。平均輝度、均一性及び色温度等の照明要件は、前記ユーザ制御装置を介してユーザから、又はテレマネージメント局若しくは他の装置を介して他のエージェントから受信され得る。
【００５３】
［００６２］照明ユニットの出力を関心地点における総照明成績に関係付ける照度モデルは、プロセッサ４１０で発生され、メモリ４２０に記憶される。該照度モデルは、照明ユニットの特性から理論的に計算し、実験的に得、又は理論及び実験の組み合わせから得ることができる。照度モデルを理論的に計算する際、当該照明ユニットの照明の位置／高さ／向き／形状等の照明ユニット特性を、前記照明ユニット制御装置から受信し、メモリ４２０に記憶することができる。一実施態様において、照度モデルは、中央制御装置４００により前記照明ユニット制御装置から受信される。他の実施態様において、照度モデルは中央制御装置４００において計算される。照明ユニット制御装置は、照明ユニットが設置された際に、初期照明ユニット特性を中央制御装置に登録することができる。
【００５４】
［００６３］照明ユニットに対する入力電力から全コスト（例えば、エネルギ及び／又は運転コスト）を決定するコストモデルは、通信システム又は他の装置を介してエネルギ供給者又は公共施設等のエージェントから受信されるコスト情報から計算することができる。メモリ４２０は、計算時間を低減するために検索することができる、事前に計算された最適解の検索可能な解データベースを記憶することもできる。
【００５５】
［００６４］通信モジュール４３０は、エージェント及び照明ユニット制御装置から変更を受信し、当該変更に関わる関心地点に関連する照明ユニットの動作を協調させる。通信モジュール４３０は、エージェント４０２及び／又は屋外照明ネットワーク４０４と通信することが可能な、ジグビ（Ｚｉｇｂｅｅ（登録商標））チップ、アプリケーションレイヤを備える無線チップ、又は特定用途向け集積回路（ＡＳＩＣ）等の如何なるタイプのデバイスとすることもできる。通信モジュール４３０は、セルラデータ通信プロトコル（例えば、ＧＳＭ（登録商標）、ＣＤＭＡ、ＧＰＲＳ、ＥＤＧＥ、３Ｇ、ＬＴＥ、ＷｉＭＡＸ等）、IEEE 802.15.4無線規格上で動作するジグビプロトコル、IEEE規格802.11（802.11b/g/n等）下のＷｉＦｉプロトコル、ブルートゥースプロトコル又はブルートゥース低エネルギプロトコル等の如何なる所望の技術を用いて通信することもできる。一例において、通信モジュール４３０は通信システムを介してエージェント４０２及び／又は屋外照明ネットワーク４０４と通信する。
【００５６】
［００６５］プロセッサ４１０は、照明ユニットの動作を如何にして最適化するかを決定する。プロセッサ４１０は、命令の作成、命令の実行及び／又は命令に従うデータの処理のうちの１以上を実行することが可能な如何なるタイプの装置とすることもできる。一例において、当該プロセッサはパーソナルコンピュータ又はサーバ等のコンピュータである。メモリ４２０は、データ、プログラム及び／又は命令を記憶することができる如何なるタイプのメモリでもあり得る。例示的なメモリは、ランダムアクセスメモリ（ＲＡＭ）、読取専用メモリ（ＲＯＭ）、フラッシュメモリ、磁気コンピュータ記憶装置（例えば、ハードディスク、フロッピー（登録商標）ディスク及び磁気テープ）、及び光ディスク等を含む。メモリ４２０は長期間及び／又は短期間記憶に使用することができる。
【００５７】
［００６６］図５は、本発明による屋外照明ネットワーク（ＯＬＮ）の中央制御装置に動作的に接続された照明ユニット制御装置の例示的実施態様のブロック図である。該照明ユニット制御装置は、プロセッサ、マイクロプロセッサ、コンピュータ、埋め込みシステム、又はユーザ及び前記中央制御装置に対するアクセスを有する何らかの他の電子装置において実施化することができる。該照明ユニット制御装置は、便利には、照明器具／照明固定具、バラスト、ＬＥＤドライバ、ＬＥＤパネル、電柱、又は関連するソフトウェア／電子モジュール等の内部等の、当該照明ユニットの内部又は近傍に配置することができる。該照明ユニット制御装置は、個々の照明ユニットを又は一群の照明ユニットを制御するために使用することができる。
【００５８】
［００６７］照明ユニット制御装置６００は、関連する照明ユニットの動作を、前記中央制御装置からの動作命令に従って制御することができる。照明ユニット制御装置６００は、プロセッサ６１０と、該プロセッサ６１０に動作的に接続されたメモリ６２０と、中央制御装置６０２と照明ユニット６０４との間の通信のためにプロセッサ６１０に動作的に接続された通信モジュール６３０とを含んでいる。
【００５９】
［００６８］プロセッサ６１０は、通信モジュール６３０を介して前記中央制御装置に動作的に接続される。プロセッサ６１０は、照明ユニットの動作を他の照明ユニットと協調して制御するための動作命令を受信するように動作し、関心地点に対する変更に応答して照明動作を集団で最適化する。プロセッサ６１０は、更に、照明ユニットが設置された際に初期的に、又は照明ユニットが設置の後に変更された後に、照明ユニット特性を供給するよう動作する。上記初期照明ユニット特性は、当該照明ユニットに関する位置、高さ、向き及び／又は電灯装置のタイプ等を含むことができる。一実施態様において、上記初期照明ユニット特性は、理論的／実験的モデルに基づく照度モデルを含むこともできる。変更照明ユニット特性は、環境条件、調光曲線、点灯時間、再生可能なエネルギタイプ（例えば、太陽光又は風力等の、当該照明ユニットにおいて利用可能なエネルギ）、再生可能エネルギの利用可能性（例えば、電池の充電、曇り又は風等）等の、当該照明ユニットに関する変化し得る現在の属性を含むことができる。
【００６０】
［００６９］一実施態様において、照明ユニット制御装置６００は、プロセッサ６１０に動作的に接続された1以上のローカルセンサ６４０を含む。例えば、周囲光センサを、当該照明ユニットにおける周囲光レベルを検出するローカルセンサとして設けることができる。このような周囲光センサは、当該照明ユニット制御装置への通信が失われた場合に、該周囲光センサが暗いことを検出すると当該照明ユニットがオンされるような、フォールバック制御を設けるために使用することができる。他のローカルセンサは、天気センサ、交通量センサ、存在検出センサ及び／又は物体認識センサ等を含むことができる。
【００６１】
［００７０］プロセッサ６１０は、命令の作成、命令の実行及び／又は命令に従うデータの処理のうちの１以上を実行することが可能な如何なるタイプの装置とすることもできる。一例において、当該プロセッサはパーソナルコンピュータ又はサーバ等のコンピュータである。メモリ６２０は、データ、プログラム及び／又は命令を記憶することができる如何なるタイプのメモリでもあり得る。例示的なメモリは、ランダムアクセスメモリ（ＲＡＭ）、読取専用メモリ（ＲＯＭ）、フラッシュメモリ、磁気コンピュータ記憶装置（例えば、ハードディスク、フロッピー（登録商標）ディスク及び磁気テープ）、及び光ディスク等を含む。メモリ６２０は長期間及び／又は短期間記憶に使用することができる。
【００６２】
［００７１］ 通信モジュール６３０は、中央制御装置６０２及び／又は照明ユニット６０４と通信することが可能な、ジグビ（Ｚｉｇｂｅｅ（登録商標））チップ、アプリケーションレイヤを備える無線チップ、又は特定用途向け集積回路（ＡＳＩＣ）等の如何なるタイプのデバイスとすることもできる。通信モジュール６３０は、セルラデータ通信プロトコル（例えば、ＧＳＭ（登録商標）、ＣＤＭＡ、ＧＰＲＳ、ＥＤＧＥ、３Ｇ、ＬＴＥ、ＷｉＭＡＸ等）、IEEE 802.15.4無線規格上で動作するジグビプロトコル、IEEE規格802.11（802.11b/g/n等）下のＷｉＦｉプロトコル、ブルートゥースプロトコル又はブルートゥース低エネルギプロトコル等の如何なる所望の技術を用いて通信することもできる。一例において、通信モジュール６３０は通信システムを介して中央制御装置６０２及び／又は照明ユニット６０４と通信する。
【００６３】
［００７２］図７は、本発明による屋外照明ネットワークの照明変更／最適化に関する照明測定を協調させる方法の基本フローチャートである。該方法１０００は、測定の必要性を識別するステップ１００２と、感知装置の利用可能性をチェックするステップ１００４と、探査が必要とされるかを判定するステップ１００６と、探査が必要とされない場合（１００６）に測定値を収集するステップ１０１０とを含む。該方法１０００は、探査が必要とされる場合（１００６）に現場における移動感知装置を探査するステップ１００８と、測定値を収集するステップ１０１０とを含むこともできる。
【００６４】
［００７３］方法１０００は、照明ユニットが所望の成績範囲内で動作しているかを判定する（１２６）ために使用することができる動作測定値に関して図２で説明したような、照明ユニットに関する動作測定値を移動感知装置から供給することができる。そのようであるので、前記中央制御装置は、識別された照明ユニットに関する測定の必要性を識別し、識別された照明ユニットに関して移動感知装置の利用可能性をチェックし、該移動感知装置の利用可能性に照らして探査が必要とされるかを判定し、斯かる探査が必要とされる場合に、利用可能な移動感知装置を探査し、該利用可能な移動感知装置から動作測定値を収集するように動作することができる。
【００６５】
［００７４］上記移動感知装置は、少なくとも光センサ及び前記中央制御装置と通信する（直接的に又は間接的に）能力を備えた、携帯電話、コンピュータ、活動モニタ、時計又は自動車ユニット等の如何なる個人用／移動／乗物装置とすることもできる。該移動感知装置は、図１に示したような測定装置８６、又は図３に示したようなユーザ制御装置２００におけるセンサ２７０であり得る。斯かる移動感知装置は、図１に示されたように通信システム６０を介して中央制御装置４０と直接通信することができるか、又は照明ユニット制御装置５０若しくは他の通信システムを介して間接的に通信することができる。直接通信は、無線周波数、可視光通信及び／又は他の伝送媒体（有線若しくは無線）により実行することができる。間接通信は、セルラネットワーク等の第三者ネットワーク設備を介して実行することができる。
【００６６】
［００７５］図７を参照すると、測定の必要性を識別するステップ１００２は、関心領域の測定必要性を識別するステップを含むことができる。測定は測定ウインドウを介して協調させることができる。測定ウインドウは関心領域（ＡＯＩ）に関連される。測定ウインドウの定義フォーマットは、ＡＯＩの識別情報、測定期間明細、レポートモード及び測定タイプを含むことができる。一実施態様において、測定の必要性が識別される関心領域は、動作測定値が受信される関心領域と同一であり得る。他の実施態様において、測定の必要性が識別される関心領域は、動作測定値が受信される関心領域とは異なることができる。
［００７６］上記ＡＯＩ識別情報は、特定の測定位置又は関心地点等の、測定グリッドにおける地理的領域を含むことができる。
【００６７】
［００７７］上記測定期間明細は、測定のための時間ウインドウ、及び当該測定がＡＯＩ内で単一時点に又は該ＡＯＩ内で特定の時点及び／又は場所においてなされる場合等の繰り返しパターンを含むことができる。時間ウインドウが指定されない場合、測定は特定の位置又はＡＯＩを入力することにより起動することができる。
【００６８】
［００７８］一実施態様において、前記繰り返しパターンは、一連の関心地点（ＰＯＩ）、一連の時点、又は関心地点及び時点の両者の組み合わせを含む。該繰り返しパターンは、前記移動感知装置が如何にして測定を実行するかを示すことができる。一例において、該移動感知装置はＰＯＩを所定の順序で（例えば、これらＰＯＩが前記ＡＯＩの明細に現れる順序で）測定することができる。他の例において、上記移動感知装置はＰＯＩを次から次へとランダムに測定することができ、前記中央制御装置に送信される測定レポートは、測定がなされた順序に関する情報を含むことができ、又は各測定の特定の位置を識別することができる。
【００６９】
［００７９］ＰＯＩがランダムに測定される場合、移動感知装置は自身の経路を辿ることができる。即ち、所定のＰＯＩで測定を実行する代わりに、歩行者若しくは自動車のように、ＡＯＩに出入りしたり、又はＡＯＩ内を動き回ることができる。移動感知装置は、ＡＯＩに出入りし又はＡＯＩ内で動き回る際に、複数の時点で照明成績を測定することができる。測定レポートは、当該照明ユニットに対する相対位置（までの、向かう又は離れる距離）及び当該測定に関するタイムスタンプを含むことができる。測定のシーケンスは、前記中央制御装置がＡＯＩ内の異なる場所及び異なる時点における照明成績を識別することを可能にする。該シーケンスは、信頼度を示すと共に、測定値を良好な測定値又は悪い測定値の何れかとして分析的に分類するために使用することができる。一実施態様において、予想される区間の外に位置する冗長な測定値を破棄するために、特定の測定に対して信頼区間を用いることができる。良好な測定値は照明成績を計算するために使用することができる一方、悪い測定値は破棄することができる。
【００７０】
［００８０］要求される測定値は、固有の照明パターン又は当該照明ユニットから送信される識別コード等の、照明ユニットの固有の特性を含むこともできる。移動感知装置による照明ユニットの固有の特性の検出は、前記中央制御装置により、当該照明ユニットの動作状態を監視すると共に所与の位置における複数の照明ユニットからの寄与度を識別するために使用することができる（例えば、センサは特定の位置における複数の照明ユニットからの固有のコード／パターンを検出し、レポートすることができる）。
【００７１】
［００８１］要求される測定値は、特定のイベントを特徴付ける複数の測定値及び条件の組み合わせを含むこともできる。例えば、或るイベントは、所与のＡＯＩ内での特定の時間における光強度の組み合わせからなり得る。
【００７２】
［００８２］前記レポートモードは、当該測定がどの様に報告されるべきかを指定するもので、ＡＯＩに入った又は測定要求を受信した所与の時間後に報告する優先レポートモード、最初のアップロード機会において報告する最善努力モード、移動センサが特定の時点に特定の場所に到達する場合等の、特定の時間及び／又は場所で報告する計画モード、又は特定のイベントが検出された場合に報告するイベント時レポートモードであり得る。
【００７３】
［００８３］前記測定タイプは、当該測定に関する追加の情報を指定するもので、要求される測定のタイプを指定するタイプアレイ、各測定タイプが実行されるべき期待される能力／条件（例えば、精度、範囲、閾値及びセンサの地上高等）を指定する能力タイプ、及び各測定タイプが報告されるべきフォーマット（例えば、照度、色、及び指向性照明測定に関する数値フォーマット等）を指定するフォーマットアレイを含むことができる。
【００７４】
［００８４］測定のタイプは、輝度／照度、色温度及び方向等の如何なる特定の照明成績測定値も含むことができる。これらの照明測定値の組み合わせは、中央制御装置に、ＡＯＩ上の照明成績に関する詳細な情報を提供することができる。例えば、測定値は、交差点に向く場合に運転者にとっては光が多過ぎ、該交差点から去る場合には光が少な過ぎる場合を示すことができる。指向性の測定を用いることは、異なる光源（例えば、照明ユニットからの光対自動車ヘッドライトからの光）からの光の寄与度を分けることを助け得る。
【００７５】
［００８５］当該方法１０００は、測定の必要性が識別された場合（１００２）に、関心領域に対する移動感知装置の利用可能性をチェックするステップ１００４も含む。前記中央制御装置は、識別された特定の必要性に従って測定を実行するための利用可能な移動感知装置をチェックすることができる。一実施態様において、中央制御装置は、有能な移動感知装置として動作することが可能な登録されたユーザの移動感知装置の現在の又は一番最近の位置を記憶する位置データベースサービスに問い合わせることができる。有能な移動感知装置が識別された場合、中央制御装置は、選択された移動感知装置からの測定値を要求することができる（１０１０）。複数の有能な移動感知装置が識別された場合、中央制御装置は、識別された複数の移動感知装置の選択されたグループからの測定値を要求することもできる。
【００７６】
［００８６］一実施態様において、前記中央制御装置は、移動感知装置の現在の位置（即ち、当該移動感知装置がＡＯＩ内にいるか）、測定ウインドウの時間帯内でのＡＯＩに対する当該装置の予想される／推定される位置（当該移動感知装置がＡＯＩに予想される測定時間ウインドウ内に入ると予想されるか）、及び特定の条件下で測定を実行するための当該移動感知装置の能力（例えば、センサのタイプ、センサの測定精度、センサの高さ）の組み合わせに基づいて、特定の測定ウインドウに対する移動感知装置を選択することができる。例えば、前記中央制御装置が道路の交差点であるＡＯＩからの測定値を必要とする場合、該中央制御装置は、現在該ＡＯＩ内で静止している移動感知装置を選択するか、又は該ＡＯＩの方向に進行している移動感知装置（例えば、乗物内の）を選択することができる。中央制御装置は、当該ＡＯＩを含む所定の経路を持つ一連の特殊装置（例えば、保守車両）から移動感知装置を選択することもできる。
【００７７】
［００８７］当該方法１０００は、探査が必要とされるかを判定するステップ１００６も含む。利用可能な移動感知装置が所要の能力（例えば、タイプ、精度又は高さ等）を有さない場合、又は移動感知装置に関する情報が入手可能でない場合、中央制御装置は、当該ＡＯＩに探査メッセージを送り込むことにより現場における有能な移動感知装置を探査することができる（１００８）。該探査するステップ１００８は、応答を収集し、当該測定ウインドウを再構成することを含むことができる。探査により又は探査無しで、利用可能な移動感知装置が識別されたなら、測定値を要求し及び収集することができる（１０１０）。該測定値の収集は、必要に応じて、新たな測定要求（MREQ）を送信すること、及び／又は何れかの活動測定ウインドウを再構成することを含むことができる。一実施態様において、前記測定要求は、移動感知装置の動きを、ＡＯＩ上の目標測定を実行するためにガイドすることができる。該方法１０００は、当該移動感知装置から測定レポート等のレポートを送信するステップ、及び／又は中央制御装置において斯かるレポートを受信するステップを含むこともできる。
【００７８】
［００８８］図８は、本発明による屋外照明ネットワークの照明変更／最適化のために照明測定を協調させる方法の詳細なフローチャートである。この例において、前記中央制御装置は特定の測定ウインドウに関して測定値を取得する。該中央制御装置は特定の要求を満たすために測定を協調させることができる。例えば、前記移動感知装置は測定を独立に実行して報告することができ、又は斯かる移動感知装置は要求に応じて測定値を取得することができる。測定値を収集している間に、中央制御装置は、元々の閉鎖時間より前に測定ウインドウを閉じるよう決定することができる。例えば、中央制御装置は、所与の測定ウインドウに対して十分な測定値が得られたら、測定停止（MSTOP）メッセージを送信することができる。
【００７９】
［００８９］前記移動感知装置は、特定の測定ウインドウに関連する測定を実行し、その測定結果を中央制御装置に所定のレポートモード及びフォーマットに従って報告する。移動感知装置は、中央制御装置からの特定の探査及び測定要求（MREQ）に応答して測定ウインドウを構成することができるが、該移動感知装置は、登録、校正又は製造の間に定義することができる事前構成された（pre-configured）測定ウインドウを有することもできる。一実施態様において、移動感知装置は複数の事前構成された測定ウインドウを有する。一例において、選択された乗物（例えば、バス又はタクシ）は、ＡＯＩ及び／又は時間に対する事前構成された測定ウインドウ（特定の街路／経路沿いの照明ユニットの照明測定のための事前構成された測定ウインドウ）を有することができる。移動感知装置は、測定結果を、当該経路の終了時に又は特定の時点で報告することができる。他の実施態様において、移動感知装置は、故障した照明ユニット（例えば、日中の間にオンする照明ユニット又は夜の特定の時間の間にオフする照明ユニット等）を検出するように構成された測定ウインドウを有することができる。この場合、当該ＡＯＩは住居／共同領域であり得、測定タイプは光の強度及び各照明ユニットからの識別情報（例えば、照明ユニットは固有の照明ユニットＩＤを符号化光、ＲＦリンク又は他の通信チャンネルを用いて送信することができる）であり得る。
【００８０】
［００９０］当該方法１１００は、１１０２において開始し、新たな測定ウインドウが存在するかを判定する（１１０４）。新たな測定ウインドウが無い場合（１１０４）、該方法１１００は始点に戻る。新たな測定ウインドウが存在する場合（１１０４）、該方法１１００は、ＡＯＩ及び測定明細を定義し（１１０６）、ＡＯＩに関してユーザ位置データベースに問い合わせ（１１０８）、予想される時間においてＡＯＩでセンサが利用可能であるかを判定する（１１１０）ことにより継続する。センサが利用可能でない場合（１１１０）、当該方法１１００は２段階の測定探査及び要求手順を開始する（１１１４）。センサが利用可能である場合（１１１０）、当該方法１１００は、測定ウインドウを構成し、当該屋外照明ネットワークが通信チャンネルとして使用されるべきかを判定する（１１１６）ことにより継続する。当該屋外照明ネットワークが通信チャンネルとして使用されるべき場合（１１１６）、当該方法１１００は、目標照明地点／ユニットをＡＯＩ及び目標センサのリストに基づいて選択し（１１２０）、次いで測定要求を斯かる目標センサに当該ＯＬＮを介して送信する（１１２２）ことにより継続する。当該屋外照明ネットワークが通信チャンネルとして使用されるべきでない場合（１１１６）、当該方法１１００は、測定要求及び目標移動感知装置のリストを代替通信チャンネルに送信する（１１１８）ことにより継続する。
【００８１】
［００９１］当該方法１１００は、当該測定動作が確認を待つべきであるかを判定する（１１２４）ことにより継続する。当該測定動作が確認を待つべきである場合（１１２４）、該方法１１００は、確認が受信されたかを判定する（１１２６）ことにより継続する。確認が受信されない場合（１１２６）、該方法１１００は、２段階測定探査及び要求手順１１１４に戻る。当該測定動作が確認を待つべきでない場合（１１２４）、又は当該測定動作が確認を待つべきであり（１１２４）且つ確認が受信された場合（１１２６）、当該方法１１００は、レポートモードが所望の計画又は優先（優先順位）に等しいかを判定する（１１２８）ことにより継続する。当該レポートモードが所望の計画又は優先に等しい場合（１１２８）、当該方法１１００は、報告ウインドウ又は計画された時間の終了のために測定ウインドウタイマを開始し（１１３０）、始点１１０２に戻ることにより継続する。当該レポートモードが所望の計画又は優先に等しくない場合（１１２８）、当該方法１１００は始点１１０２に戻る。
【００８２】
［００９２］図９は、本発明による屋外照明ネットワークの照明変更／最適化のために移動感知装置を使用する照明測定を協調させる方法のフローチャートである。この例において、センサは、所与の測定ウインドウに対して測定を実行し、特定のコマンドに対して反応し、新たな測定ウインドウを構成し、及び／又は測定を報告する。図９は、移動感知装置の視点から当該方法の概要を示す。
【００８３】
［００９３］移動感知装置は、事前に構成された測定ウインドウに対して測定を独立に実行し、その結果を指定されたように報告することができる。移動感知装置は、所与の測定ウインドウに対して測定を実行し、中央制御装置からの特定のコマンドに対して反応し、新たな測定ウインドウを構成し、当該測定を報告することができる。測定を報告する場合、移動感知装置は当該測定レポートに、各単位が所与の測定タイプの結果であり且つ中央制御装置により要求された特性のフォーマットに従う測定アレイ（各測定単位に関する位置及び時間は、レポートモードに依存して又は中央制御装置により要求された場合に含めることができる）、上記測定アレイにおける各単位に関して当該移動感知装置がオプションとして当該測定に使用された特定のパラメータ（例えば、測定精度、高さ、方向、照明ユニットに対する相対位置、及び報告される位置及び時間情報の精度等）を示すことができる測定条件アレイ、及び固有の数、文字列又はコード等の中央制御装置により既知の特定のフォーマットに従う当該移動感知装置の識別子（好ましくは、固有の）を含めることができる。位置及び時間は、移動感知装置が報告される各測定に関する位置及び時間を追加する如何なる最善努力レポート、報告ウインドウが小さい場合は位置及び時間は必要とされないが、中央制御装置が位置及び時間を明示的に要求することができる優先レポート、又は情報としてオプションの位置及び時間を事前に構成することができる計画レポートに含めることができる。
【００８４】
［００９４］測定を実行及び報告することに加えて、移動感知装置は測定に関連する前後関係情報（context information）を識別することもできる。該装置は、この情報をローカルに使用することができ、又は斯かる情報を中央制御装置に送信することもできる。測定レポートに位置及び時間が含まれていない場合、中央制御装置は位置及び時間を、該中央制御装置が上記測定レポートをどの様に受信したか（例えば、所与の照明ユニットを介して）及び当該移動感知装置により供給された前後関係情報に基づいて推定することができる。一例において、移動感知装置が、該移動感知装置が自身の位置により（例えば、光センサが配置により覆われている）特定の測定を現在行うことができないことを検出した場合、該移動感知装置は、中央制御装置からの新たな探査に応答することができず、計画された測定が障害により実行されなかったことを示すこともできず、測定を継続するためにユーザからの支援を要求する（例えば、ユーザに特定の位置に当該移動感知装置を配置することを要求する）こともできない。
【００８５】
［００９５］上記前後関係情報は、測定を校正し又は測定の信頼性及び有効性をチェックするための如何なる有用な情報を含むこともできる。例えば、移動感知装置は、光センサに加えて加速度計を含むことができる。斯かる加速度計は、空間内での当該移動感知装置の３Ｄ位置を、例えば光センサ上向き、下向き、南向き又は西向きで示す。移動感知装置は、照明成績測定のために設計された特化された光センサを含むことができると共に、携帯電話等の移動型手持ち装置のスクリーン輝度を調整するために使用されるセンサ等の他の目的の光センサを含むこともできる。斯かる光センサは、時には、１以上の光源から物体（例えば、人の身体）により遮蔽され又は部分的に遮蔽され得る。このようなことは、センサが移動している場合にも発生し得る。一実施態様において、ユーザは斯かる状況を、当該移動感知装置を介して明示的に示すことができる。他の実施態様において、斯かる状況は、異なるタイプの光センサからの測定値を組み合わせる、測定値の突然の変化、光源に向かう若しくは光源から離れる動き、又は当該光センサを担持する移動感知装置の相対位置等のように、前後関係情報から導出することができる。
【００８６】
［００９６］図９を参照すると、当該方法１２００は電源投入１２０２で開始し、待機モード１２０４に入ることにより継続する。該方法１２００は、イベントがあるかを判定する（１２０６）。イベントがない場合（１２０６）、該方法１２００は待機モード１２０４に戻る。イベントがあった場合（１２０６）、該イベントは、測定ウインドウ起動イベント１２０８、測定停止コマンドイベント１２３２、最善努力レポートアップロードコマンドイベント１２３８、計画レポートコマンドイベント１２４２又は測定要求コマンドイベント１２４６であり得る。
【００８７】
［００９７］測定ウインドウ起動イベント１２０８の場合、当該方法１２００は、指定されたように繰り返し及び／又は測定ウインドウ起動を構成し（１２１０）、当該レポートモードが計画型であるかを判定する（１２１２）。当該レポートモードが計画型である場合（１２１２）、レポートイベントが計画（スケジュール）され（１２１４）、当該方法１２００は次の測定を計画する（１２１６）ことにより継続する。当該レポートモードが計画型でない場合（１２１２）、当該方法１２００は次の測定を計画する（１２１６）ことにより継続する。次いで、該方法１２００は、測定を実行し（１２１８）、レポートイベントが検出されたかを判定する（１２２０）ことにより継続する。レポートイベントが検出された場合（１２２０）、当該レポートは送信される（１２２２）。レポートイベントが検出されない場合（１２２０）、当該レポートが優先レポートであるかが判定され（１２２４）、当該レポートが優先レポートである場合、該レポートは送信される（１２２２）。当該レポートが優先レポートでないか、又は当該レポートが送信された場合（１２２２）、更なる測定が必要とされるかが判定される（１２２６）。更なる測定が必要とされる場合（１２２６）、当該方法１２００は、次の測定を計画するステップ１２１６に戻る。更なる測定が必要とされない場合（１２２６）、当該方法１２００は、当該レポートが最善努力レポートであるかを判定する（１２２８）ことにより継続する。当該レポートが最善努力レポートである場合（１２２８）、当該方法１２００は、アップロード点のスキャン調査を開始する（１２３０）ことにより継続し、待機モード１２０４に戻る。当該レポートが最善努力レポートでない場合（１２２８）、当該方法１２００は、待機モード１２０４に戻ることにより継続する。
【００８８】
［００９８］測定停止コマンドイベント１２３２の場合、当該方法１２００は、完了していない測定、繰り返し及び／又はイベントを取り消し（１２３４）、必要に応じて測定ウインドウ起動イベントを再計画する（１２３６）ことにより継続する。
【００８９】
［００９９］最善努力レポートアップロードコマンドイベント１２３８の場合、当該方法１２００は、見付かった第１アップロード点に最善努力レポートを送信し（１２４０）、必要に応じて測定ウインドウ起動イベントを再計画する（１２３６）ことにより継続する。
【００９０】
［０１００］計画レポートコマンドイベント１２４２の場合、当該方法１２００は、レポートを送信し（１２４４）、必要に応じて測定ウインドウ起動イベントを再計画する（１２３６）ことにより継続する。
【００９１】
［０１０１］測定要求コマンドイベント１２４６の場合、当該方法１２００は、当該センサが測定を実行する能力があるかを判定する（１２４８）ことにより継続する。当該センサが測定を実行する能力がない場合（１２４８）、当該方法１２００は待機モード１２０４に戻ることにより継続する。当該センサが測定を実行する能力がある場合（１２４８）、当該方法１２００は、当該測定が許可されているかを判定する（１２５０）ことにより継続する。当該測定が許可されている場合（１２５０）、当該方法１２００は、測定ウインドウ起動イベントを計画し（１２５６）、確認が必要とされるかを判定する（１２５８）ことにより継続する。確認が必要とされる場合（１２５８）、当該方法１２００は測定応答を送信する（１２６０）ことにより継続する。確認が必要とされない場合（１２５８）、当該方法１２００は待機モード１２０４に戻ることにより継続する。当該測定が許可されていない場合（１２５０）、当該方法１２００は、確認が必要とされるかを判定し（１２５２）、確認が必要とされる場合（１２５２）は登録／許可処理を開始し（１２５４）、待機モード１２０４に戻ることにより継続する。確認が必要とされない場合（１２５２）、当該方法１２００は待機モード１２０４に戻ることにより継続する。
【００９２】
［０１０２］照明及び他の前後関係情報を収集する利点は多くあるが、プライバシに関する心配があり得る。過去の前後関係及び将来の計画等の記憶された情報は、悪意で使用される可能性がある。利用可能な移動感知装置に固有に関連付けられた情報は、悪用を防止するために非特定化又は匿名化することができる。一実施態様において、記憶される情報は、匿名的に記憶することができる。前記中央制御装置は、測定レポートに使用される識別子等の移動感知装置に固有に関連付けられる全ての情報に対し、斯かる情報を記憶する前にハッシュ関数を適用する。移動感知装置に関係する全ての記憶された情報は、ハッシュ値（hashed value）に基づいてタグ付けされる。上記の固有な装置識別子は、名前の文字列、電子メールアドレス又はＭＡＣアドレス等とすることができる。上記固有の装置識別子は、たとえ中央制御装置のデータベースのセキュリティが障害を受けても上記ハッシュ値からは取り出すことはできず、従って移動感知装置に関する情報は匿名的なままとなる。中央制御装置がセンサから情報を受信した場合、該中央制御装置は識別子に対して同じハッシュ関数を実行することができ、この移動体感知装置のためにタグ付けされた情報を取り出すことができる。セキュリティシステムで使用されているもののようなハッシュ関数を、斯様な匿名記憶を実施するために使用することができる。当業者であれば、特定のアプリケーションに関して、所望に応じて、利用可能な移動感知装置に固有に関連付けられた情報を非特定化するために如何なる方法をも使用することができることを理解するであろう。
【００９３】
［０１０３］一実施態様において、図９に示した方法等の、移動感知装置の動作方法は、ユーザによりダウンロードし且つインストールすることが可能なソフトウェアモジュールとして（例えば、ダウンロード可能なソフトウェア又はアプリケーションの何れかのソースからダウンロード可能なアプリケーションとして）実施化することができる。幾つかの移動感知装置の場合、このようなソフトウェアモジュールは製造の時点で事前にインストールすることができる。斯かるソフトウェアモジュールは、個人的情報（例えば、識別子、設定、好み、住所等）を入力するためのユーザ用のインターフェースを含むこともでき、該インターフェースはデフォルトの測定ウインドウ（例えば、地域街路灯を監視するための測定ウインドウ）を構成するために使用することができる。該ソフトウェアモジュールは、当該移動感知装置を登録するために前記中央制御装置と通信することができる（直接的に又は間接的に）。一実施態様において、移動感知装置は、ユーザが当該移動感知装置を中央制御装置に登録するのを可能にするよう動作する。ユーザは、自身の移動装置を中央制御装置に、該中央制御装置の調整の下で移動感知装置として動作するよう登録することができる。センサの校正が必要とされる場合、同じソフトウェアモジュールが、ユーザからの入力を要求し得る校正手順を実行することができる。
【００９４】
［０１０４］移動感知装置内の光センサを校正するために、校正手順を実行することができる。一実施態様において、該校正手順は、その間に当該移動感知装置が中央制御装置の制御の下で特定の測定を実行し（例えば、特定の位置及び時間において）、その結果を報告する評価期間を含む。上記特定の測定は、選択された照明ユニットのための特定の測定であり得る。中央制御装置は、上記結果を分析し、次いで当該校正を承認し又は必要に応じて更なる測定を要求する。校正の間において、ユーザの移動感知装置におけるソフトウェアモジュールは、当該ユーザに校正を容易にするための特定のステップに従うよう要求することができる（例えば、ユーザに当該移動感知装置を特定の場所及び／又は位置に置くように要求する）。
【００９５】
［０１０５］当該校正方法の一実施態様において、移動感知装置のユーザは、測定を実施するために既知の照明値を有する選択された位置に当該移動感知装置を置くように要求される。移動感知装置により、１以上の照明測定が実施される。これら照明測定は、既知の照明値に対して当該移動感知装置を校正するために使用することができる。校正は、照明測定値を基準測定値と比較するアルゴリズムにより当該移動感知装置においてローカルに実施することができる。他の例として、測定値は、校正を実施することができる中央制御装置に送信することができる。一例において、上記既知の照明値は基準光センサから取得される。該基準光センサは特定の照明ユニットに関連付けることができ、利用可能な移動感知装置のユーザは、該移動感知装置を上記特定の照明ユニットに置くよう要求され得る。他の例において、上記既知の照明値は、事前に校正された移動感知装置から取得される。
【００９６】
［０１０６］当該校正方法の他の実施態様において、利用可能な移動感知装置のユーザは、該移動感知装置を関心領域内に置くように要求される。照明測定が該移動感知装置により実行され、他の照明測定が基準光センサにより実行される。これら照明測定の間の差が決定され、該差が所定の値を超える場合、当該移動感知装置は上記基準光センサからの照明測定値に校正される。他の例において、上記基準光センサは特定の照明ユニットに組み合わされ、ユーザは当該移動感知装置を上記特定の照明ユニット及び第２の関心領域に置くよう要求される。
【００９７】
［０１０７］当該校正方法の他の実施態様において、ユーザは当該移動感知装置を照明ユニットの基部に持って行き、ボタンを押すように要求され得る。この照明ユニットは、該照明ユニットに関する測定を行う上記ユーザの移動感知装置のありそうな配置に並置される他の基準光センサを有し得る。この場合、２つの測定値は当該移動感知装置内のユーザのセンサを校正するために使用される。他の例として、上記基準センサが当該ネットワークには接続されていないが、自身の光の読みの表示を行う場合、ユーザは、表示された基準センサの読みを当該移動感知装置に入力して校正処理を完了するよう要求され得る。照明ユニット下の照明条件は、昼及び夜の時間、自動車及びトラック等の近くの物体からの反射、又は木の葉若しくは汚れによる光の遮断等を含む種々の原因により劇的に変化することが予想される。近くに基準光センサが無い場合、ユーザの光センサの近傍の事前に校正された他の移動センサが、基準センサの機能を果たすことができる。例えば、前記中央制御装置は、当該移動感知装置内の校正されるべき新しい光センサと同様の条件下で測定を実行した又は実行することが可能な他の同様に校正されたセンサを選択することができる。該中央制御装置は、同様に校正されたセンサを、位置、時間及び能力等のパラメータに基づいて選択することができる。基準及び新しい光センサの測定値が収集されたら、中央制御装置は、これら値を比較し、当該新しい光センサに対する必要な如何なる調整も示すことができる。斯かる調整は、中央制御装置から当該移動感知装置へ利用可能な通信チャンネルを介して通知することができる。
【００９８】
［０１０８］ユーザが、移動感知装置を中央制御装置に登録し、該中央制御装置により要求される測定を実行及び報告することからの直接的又は間接的利益を受けるように、奨励策を設けることができる。一実施態様において、ユーザは、共同体の一部としての利益、例えば関心領域における天気／交通量／在居に適応可能な一層良好な照明条件、一層少ない光害及び一層少ない不法侵入等の利益を享受することができる。他の実施態様において、ユーザは中央制御装置から直の個人的利益をクレジット（例えば、金銭、ポイント又は同様の実際の若しくは仮想の単位）の形で受けることができ、これらクレジットは、当該中央制御装置と提携する第三者によって、当該屋外照明ネットワークにより提供されるサービスにアクセスするために交換することができる。一例において、ユーザは、ユーザの移動感知装置が中央制御装置に応答して測定を実行及び報告するにつれてクレジット（ポイント）を蓄積することができる。このようなクレジットは個人化された照明制御サービスにアクセスするために交換することができ、これらサービスにおいてユーザは所与の選択されたＡＯＩ内の照明ユニットの動作を特定の制約内で制御することができる。他の例において、ユーザは、中央制御装置により提供される斯かるユーザの共同体に関する環境及びエネルギ監視情報にアクセスするためにクレジットを交換することができる。更に他の例において、ユーザは、蓄積されたクレジットを当該屋外照明ネットワークにより提供される電力充電サービスにアクセスするために交換することができ、該サービスにおいてユーザの電気機器は当該屋外照明ネットワークに接続された照明ユニット又は他の充電装置から電力を受けることができる。
【００９９】
［０１０９］尚、当業者であれば、当該屋外照明ネットワーク制御システムは照明の管理及び公共の安全の用途に限られるものではなく、美化及び娯楽のために審美的に使用することもできることを理解するであろう。一例において、前記照明ユニットは、市の領域を最良の効果で照明するために日中及び夜間を通して輝度、色及び方向を変更することができる。他の例において、前記照明ユニットの輝度、色、方向及び点滅状態は、芸術的表示として変化させることができる。更に他の例において、前記照明ユニットの輝度、色、方向及び点滅状態は、音楽又は花火等の公衆公演と同期された芸術的表示として変化させることもできる。
【０１００】
［０１１０］以上、本発明の幾つかの実施態様を本明細書において説明及び図示したが、当業者であれば、ここに説明した機能を実行し、及び／又はここで述べた結果及び／又は利点の1以上を得るための種々の他の手段及び／又は構成に容易に想到するであろう。このような変更及び／又は修正の各々は、ここに述べた本発明の実施態様の範囲内であると見なされる。もっと一般的に言うと、当業者であれば、ここに述べた全てのパラメータ、寸法、材料及び構成は例示的なものであることを意味し、実際のパラメータ、寸法、材料及び／又は構成は、本発明の教示が用いられる特定の用途に依存するであろうことを容易に理解するであろう。当業者であれば、ここで述べた本発明の特定の実施態様に対する多くの均等物を認識し、又は通例の実験を用いるだけで確認することができるであろう。従って、上述した実施態様は例示としてのみ提示されたものであり、添付請求項及びその均等物の範囲内で、本発明の実施態様は、特定的に説明及び請求項に記載したもの以外で実施することができると理解されるべきである。本開示の発明的実施態様は、ここで述べた各フィーチャ、システム、物品、材料、キット及び／又は方法に向けられたものである。更に、２以上の斯様なフィーチャ、システム、物品、材料、キット及び／又は方法の如何なる組み合わせも、このようなフィーチャ、システム、物品、材料、キット及び／又は方法が相互に矛楯しないならば、本開示の発明の範囲内に含まれるものである。
【０１０１】
［０１１１］ここで定められ及び使用された全ての定義は、辞書の定義、参照により組み込まれた文献における定義及び／又は定義された用語の通常の意味を規制すると理解されるべきである。
【０１０２】
［０１１２］本明細書及び請求項で使用される単数形は、そうでないと明示しない限り、“少なくとも１つの”を意味すると理解されるべきである。
【０１０３】
［０１１３］本明細書及び請求項において使用された“及び／又は”なる語句は、そのように結合されたエレメントの“何れか又は両方”、即ち或る場合には連接的に存在し、他の場合には離接的に存在するエレメントを意味すると理解されるべきである。“及び／又は”で列挙された複数のエレメントは、同様に、即ちそのように結合されたエレメントの“１以上”であると見なされたい。“及び／又は”なる文により固有に識別されたエレメント以外の他のエレメントも、これらの固有に識別されたエレメントに関係するか関係しないかによらず、オプションとして存在することもできる。従って、限定するものではない例として、“有する”なる非制限的文言と一緒に使用される場合、“Ａ及び／又はＢ”なる言及は、一実施態様ではＡのみ（オプションとして、Ｂ以外のエレメントを含む）を、他の実施態様ではＢのみ（オプションとしてＡ以外のエレメントを含む）を、更に他の実施態様ではＡ及びＢの両方（オプションとして他のエレメントを含む）を、指す等となり得る。
【０１０４】
［０１１４］本明細書及び請求項で使用される場合、“又は”は上記に定義した“及び／又は”と同じ意味を持つと理解されたい。例えば、リスト内の項目を分ける場合、“又は”又は“及び／又は”は、包含的であると、即ち複数の又は一連のエレメントのうちの少なくとも１つの包含のみならず、２以上及びオプションとして追加の非掲載項目も含むと解釈されるべきである。“のうちの１つのみ”又は“のうちのちょうど１つ”のように、そうでないと明確に示された用語のみ、又は請求項で使用される場合の“からなる”は、複数の又は一連のエレメントのうちのちょうど１つのエレメントの包含を指す。一般的に、ここで使用される“又は”なる用語は、“何れか”、“のうちの１つ”、“のうちの１つのみ”又は“のうちのちょうど１つ”等の排他性の用語により先行された場合にのみ、排他的な代替物（即ち、“一方又は他方であるが、両方ではない”）を示すと解釈されるべきである。“から本質的になる”は、請求項において使用される場合、特許法の分野で使用される通常の意味を有するものである。
【０１０５】
［０１１５］本明細書及び請求項で使用される場合、１以上のエレメントのリストを参照する“少なくとも１つの”なる語句は、該エレメントのリストにおけるエレメントの何れか１以上から選択された少なくとも１つのエレメントを意味するものであり、該エレメントのリスト内の各及び全エレメントの少なくとも１つを必ずしも含むものではなく、該エレメントのリスト内のエレメントの如何なる組み合わせをも除くものではないと理解されるべきである。この定義は、上記“少なくとも１つの”なる語句が参照する上記エレメントのリスト内で識別されるエレメント以外のエレメント（上記の識別されたエレメントに関係するか又は関係しないかに拘わらず）がオプションとして存在することも可能にする。このように、限定するものではない例として、“Ａ及びＢの少なくとも１つ”（又は等価的に“Ａ又はＢの少なくとも１つ”若しくは等価的に“Ａ及び／又はＢの少なくとも１つ”）は、一実施態様では、少なくとも１つの（オプションとして２以上を含む）Ａで、Ｂは存在しない（オプションとしてＢ以外のエレメントを含む）場合、他の実施態様では、少なくとも１つの（オプションとして２以上を含む）Ｂで、Ａは存在しない（オプションとしてＡ以外のエレメントを含む）場合、更に他の実施態様では、少なくとも１つの（オプションとして２以上を含む）Ａ及び少なくとも１つの（オプションとして２以上を含む）Ｂ（オプションとして他のエレメントを含む）の場合等を指すことができる。
【０１０６】
［０１１６］明確にそうでないと示さない限り、請求項に記載された２以上のステップ又は動作を含む如何なる方法においても、該方法のステップ又は動作の順序は、これらステップ又は動作が記載された順序に必ずしも限定されるものではないと理解されるべきである。
【０１０７】
［０１１７］請求項及び上記明細書において、“有する”、“含む”、“担持する”、“持つ”、“収容する”、“伴う”、“保持する”及び“から構成される ”等の全ての移行句は非制限的であると、即ち含むが限定されるものではないことを意味すると理解されるべきである。“からなる”及び“から本質的になる”なる移行句のみが、各々、制限的又は半制限的移行句である（米国特許庁の特許審査手順マニュアル、第2111.03節に記載されているように）。
【図１】
2014517981.tif 000006
【図２】
2014517981.tif 000007
【図３】
2014517981.tif 000008
【図４】
2014517981.tif 000009
【図５】
2014517981.tif 000010
【図６】
2014517981.tif 000011
【図７】
2014517981.tif 000012
【図８】
2014517981.tif 000013
【図９】
2014517981.tif 000014
【国際調査報告】
2014517981.tif 000015
2014517981.tif 000016